(57)【要約】  無線通信端末は、第１の通信機と、第２の通信機と、１つまたは複数のプロセッサとを有する。第１の条件および第２の条件が満たされるとき、前記プロセッサは、指示情報を前記第２の通信機によって外部端末の第４の通信機に送信する。前記指示情報は、前記無線通信端末への接続要求の送信を前記外部端末に指示する情報である。前記第１の条件は、第２の通信プロトコルに基づく第２の通信接続が前記第２の通信機と前記第４の通信機との間で確立されているという条件である。前記第２の条件は、前記第１の通信機が前記第１のモードで動作しているという条件である。前記指示情報が前記第４の通信機に送信された後、前記第３の通信機によって送信された前記接続要求が前記第１の通信機によって受信された場合、前記プロセッサは、前記第１の通信機によって、第１の通信プロトコルに従って外部端末の第３の通信機と第１の通信接続を確立する。
2017183116.tif 000002
【特許請求の範囲】
【請求項１】
第１の通信プロトコルに従って無線通信を行う第１の通信機と、
第２の通信プロトコルに従って無線通信を行う第２の通信機と、
１つまたは複数のプロセッサと、
を有する無線通信端末であって、
外部端末は、
前記第１の通信プロトコルに従って無線通信を行う第３の通信機と、
前記第２の通信プロトコルに従って無線通信を行う第４の通信機と、
を有し、
前記第１の通信プロトコルおよび前記第２の通信プロトコルは、少なくともデータリンク層のプロトコルを含み、
前記第１の通信プロトコルにおいて、第１のモードと第２のモードとが定義され、
前記第２の通信プロトコルは、前記第１の通信プロトコルと異なり、
前記第１の通信機が前記第１のモードで動作し、かつ前記第３の通信機が第２のモードで動作しているとき、前記第１の通信機および前記第３の通信機の間で前記第１の通信プロトコルに従って、データリンク層よりも上位の層のデータ通信のための第１の通信接続が確立でき、
前記第１の通信機が前記第１のモードで動作し、かつ前記第３の通信機が前記第２のモードで動作しているとき、前記第１の通信機および前記第３の通信機のうち前記第３の通信機のみが前記第１の通信プロトコルに従って接続要求を送信でき、
第１の条件および第２の条件が満たされるとき、前記プロセッサは、指示情報を前記第２の通信機によって前記第４の通信機に送信し、
前記指示情報が前記第４の通信機に送信されたとき、前記第１の通信機と前記第３の通信機との間で前記第１の通信接続は確立されてなく、前記指示情報は、前記無線通信端末への前記接続要求の送信を前記外部端末に指示する情報であり、前記第１の条件は、前記第２の通信プロトコルに基づく第２の通信接続が前記第２の通信機と前記第４の通信機との間で確立されているという条件であり、前記第２の条件は、前記第１の通信機が前記第１のモードで動作しているという条件であり、
前記指示情報が前記第４の通信機に送信された後、前記第３の通信機によって送信された前記接続要求が前記第１の通信機によって受信された場合、前記プロセッサは、前記第１の通信機によって、前記第１の通信プロトコルに従って前記第３の通信機と前記第１の通信接続を確立し、
前記第１の通信接続が確立された後、前記プロセッサは、前記第１の通信機によって前記第３の通信機と前記データ通信を行う
無線通信端末。
【請求項２】
前記第１の通信機のデータ通信量が所定量以下である場合、または前記無線通信端末が第１の状態から第２の状態になった場合、前記プロセッサは、前記第１の通信機に前記第１のモードの動作を停止させ、前記第２の状態における前記無線通信端末の消費電力は、前記第１の状態における前記無線通信端末の消費電力よりも小さくなるように制御され、
前記第１の条件が満たされ、かつ前記第２の条件が満たされない場合、前記プロセッサは、前記第１の通信機を前記第１のモードで動作させた後、前記指示情報を前記第２の通信機によって前記第４の通信機に送信する
請求項１に記載の無線通信端末。
【請求項３】
イメージセンサをさらに有し、
前記無線通信端末は、第３のモードで動作することができ、前記第３のモードは、前記イメージセンサが撮像を行うことにより生成された画像データを前記外部端末に送信するモードであり、
前記プロセッサは、前記第３のモードが前記無線通信端末に設定されたか否かを判断し、
前記第１の条件、前記第２の条件、および第３の条件が満たされるとき、前記プロセッサは、前記指示情報を前記第２の通信機によって前記第４の通信機に送信し、前記第３の条件は、前記第３のモードが前記無線通信端末に設定されたと前記プロセッサが判断するという条件である
請求項１に記載の無線通信端末。
【請求項４】
前記プロセッサは、前記第１の通信機と前記第３の通信機との間の前記第１の通信接続の状態を判断し、前記第１の通信接続の前記状態は、接続状態と切断状態とのいずれか１つであり、
前記第１の条件、前記第２の条件、前記第３の条件、および第４の条件が満たされるとき、前記プロセッサは、前記指示情報を前記第２の通信機によって前記第４の通信機に送信し、前記第４の条件は、前記第１の通信接続の前記状態が前記切断状態であるという条件であり、
前記指示情報が送信されるタイミングは、前記第３のモードが前記無線通信端末に設定されたと前記プロセッサが判断したタイミング、または前記イメージセンサが撮像を行うタイミングである
請求項３に記載の無線通信端末。
【請求項５】
前記第１の通信機のデータ通信量が所定量以下である場合、または前記無線通信端末が第１の状態から第２の状態になった場合、前記プロセッサは、前記第１の通信機に前記第１のモードの動作を停止させ、前記第２の状態における前記無線通信端末の消費電力は、前記第１の状態における前記無線通信端末の消費電力よりも小さくなるように制御され、
前記第１の条件および前記第３の条件が満たされ、かつ前記第２の条件が満たされない場合、前記プロセッサは、前記第１の通信機を前記第１のモードで動作させた後、前記指示情報を前記第２の通信機によって前記第４の通信機に送信し、
前記指示情報が送信されるタイミングは、前記第３のモードが前記無線通信端末に設定されたと前記プロセッサが判断したタイミング、または前記イメージセンサが撮像を行うタイミングである
請求項３に記載の無線通信端末。
【請求項６】
前記プロセッサは、第１の指示または第２の指示が受け付けられたか否かを判断し、前記第１の指示は、前記外部端末が保持するセンサデータを取得する指示であり、前記第２の指示は、通信不可能状態である前記第１の通信機を通信可能状態にする指示であり、
第１の条件、第２の条件、および第５の条件が満たされるとき、前記プロセッサは、前記指示情報を前記第２の通信機によって前記第４の通信機に送信し、前記第５の条件は、前記第１の指示または前記第２の指示が受け付けられたと前記プロセッサが判断するという条件である
請求項１に記載の無線通信端末。
【請求項７】
前記第２の通信接続が前記第２の通信機と前記第４の通信機との間で確立された状態で前記第１の通信機の電源がオフになった場合、前記プロセッサは、前記第２の通信機と前記第４の通信機との間で確立された前記第２の通信接続を維持し、
前記第１の通信機の前記電源がオフであるときに前記第１の通信機の前記電源をオンにする指示を前記プロセッサが受け付けた場合、前記プロセッサは、前記第１の通信機の前記電源をオンにする
請求項１に記載の無線通信端末。
【請求項８】
無線通信端末と外部端末とを有する無線通信システムであって、
前記無線通信端末は、
第１の通信プロトコルに従って無線通信を行う第１の通信機と、
第２の通信プロトコルに従って無線通信を行う第２の通信機と、
１つまたは複数のプロセッサと、
を有し、
前記外部端末は、
前記第１の通信プロトコルに従って無線通信を行う第３の通信機と、
前記第２の通信プロトコルに従って無線通信を行う第４の通信機と、
を有し、
前記第１の通信プロトコルおよび前記第２の通信プロトコルは、少なくともデータリンク層のプロトコルを含み、
前記第１の通信プロトコルにおいて、第１のモードと第２のモードとが定義され、
前記第２の通信プロトコルは、前記第１の通信プロトコルと異なり、
前記第１の通信機が前記第１のモードで動作し、かつ前記第３の通信機が第２のモードで動作しているとき、前記第１の通信機および前記第３の通信機の間で前記第１の通信プロトコルに従って、データリンク層よりも上位の層のデータ通信のための第１の通信接続が確立でき、
前記第１の通信機が前記第１のモードで動作し、かつ前記第３の通信機が前記第２のモードで動作しているとき、前記第１の通信機および前記第３の通信機のうち前記第３の通信機のみが前記第１の通信プロトコルに従って接続要求を送信でき、
第１の条件および第２の条件が満たされるとき、前記プロセッサは、指示情報を前記第２の通信機によって前記第４の通信機に送信し、
前記指示情報が前記第４の通信機に送信されたとき、前記第１の通信機と前記第３の通信機との間で前記第１の通信接続は確立されてなく、前記指示情報は、前記無線通信端末への前記接続要求の送信を前記外部端末に指示する情報であり、前記第１の条件は、前記第２の通信プロトコルに基づく第２の通信接続が前記第２の通信機と前記第４の通信機との間で確立されているという条件であり、前記第２の条件は、前記第１の通信機が前記第１のモードで動作しているという条件であり、
前記指示情報が前記第４の通信機に送信された後、前記第３の通信機によって送信された前記接続要求が前記第１の通信機によって受信された場合、前記プロセッサは、前記第１の通信機によって、前記第１の通信プロトコルに従って前記第３の通信機と前記第１の通信接続を確立し、
前記第１の通信接続が確立された後、前記プロセッサは、前記第１の通信機によって前記第３の通信機と前記データ通信を行い、
前記第４の通信機は、前記第２の通信機によって送信された前記指示情報を受信し、
前記指示情報が受信された後、前記第３の通信機は、前記接続要求を前記第１の通信機に送信し、
前記接続要求が送信された後、前記第３の通信機は、前記第１の通信機と前記第１の通信接続を確立し、
前記第１の通信接続が確立された後、前記第３の通信機は、前記第１の通信機と前記データ通信を行う
無線通信システム。
【請求項９】
無線通信端末によって実行される第１のステップと、第２のステップと、第３のステップとを有する無線通信方法であって、
前記無線通信端末は、
第１の通信プロトコルに従って無線通信を行う第１の通信機と、
第２の通信プロトコルに従って無線通信を行う第２の通信機と、
を有し、
外部端末は、
前記第１の通信プロトコルに従って無線通信を行う第３の通信機と、
前記第２の通信プロトコルに従って無線通信を行う第４の通信機と、
を有し、
前記第１の通信プロトコルおよび前記第２の通信プロトコルは、少なくともデータリンク層のプロトコルを含み、
前記第１の通信プロトコルにおいて、第１のモードと第２のモードとが定義され、
前記第２の通信プロトコルは、前記第１の通信プロトコルと異なり、
前記第１の通信機が前記第１のモードで動作し、かつ前記第３の通信機が第２のモードで動作しているとき、前記第１の通信機および前記第３の通信機の間で前記第１の通信プロトコルに従って、データリンク層よりも上位の層のデータ通信のための第１の通信接続が確立でき、
前記第１の通信機が前記第１のモードで動作し、かつ前記第３の通信機が前記第２のモードで動作しているとき、前記第１の通信機および前記第３の通信機のうち前記第３の通信機のみが前記第１の通信プロトコルに従って接続要求を送信でき、
第１の条件および第２の条件が満たされるとき、前記第１のステップにおいて、前記第２の通信機は、指示情報を前記第４の通信機に送信し、
前記指示情報が前記第４の通信機に送信されたとき、前記第１の通信機と前記第３の通信機との間で前記第１の通信接続は確立されてなく、前記指示情報は、前記無線通信端末への前記接続要求の送信を前記外部端末に指示する情報であり、前記第１の条件は、前記第２の通信プロトコルに基づく第２の通信接続が前記第２の通信機と前記第４の通信機との間で確立されているという条件であり、前記第２の条件は、前記第１の通信機が前記第１のモードで動作しているという条件であり、
前記指示情報が前記第４の通信機に送信された後、前記第３の通信機によって送信された前記接続要求が前記第１の通信機によって受信された場合、前記第２のステップにおいて、前記第１の通信機は、前記第１の通信プロトコルに従って前記第３の通信機と前記第１の通信接続を確立し、
前記第１の通信接続が確立された後、前記第３のステップにおいて、前記第１の通信機は前記第３の通信機と前記データ通信を行う
無線通信方法。
【請求項１０】
第１のステップと、第２のステップと、第３のステップとを無線通信端末のコンピュータに実行させるためのプログラムであって、
前記無線通信端末は、
第１の通信プロトコルに従って無線通信を行う第１の通信機と、
第２の通信プロトコルに従って無線通信を行う第２の通信機と、
を有し、
外部端末は、
前記第１の通信プロトコルに従って無線通信を行う第３の通信機と、
前記第２の通信プロトコルに従って無線通信を行う第４の通信機と、
を有し、
前記第１の通信プロトコルおよび前記第２の通信プロトコルは、少なくともデータリンク層のプロトコルを含み、
前記第１の通信プロトコルにおいて、第１のモードと第２のモードとが定義され、
前記第２の通信プロトコルは、前記第１の通信プロトコルと異なり、
前記第１の通信機が前記第１のモードで動作し、かつ前記第３の通信機が第２のモードで動作しているとき、前記第１の通信機および前記第３の通信機の間で前記第１の通信プロトコルに従って、データリンク層よりも上位の層のデータ通信のための第１の通信接続が確立でき、
前記第１の通信機が前記第１のモードで動作し、かつ前記第３の通信機が前記第２のモードで動作しているとき、前記第１の通信機および前記第３の通信機のうち前記第３の通信機のみが前記第１の通信プロトコルに従って接続要求を送信でき、
第１の条件および第２の条件が満たされるとき、前記第１のステップにおいて、前記第２の通信機は、指示情報を前記第４の通信機に送信し、
前記指示情報が前記第４の通信機に送信されたとき、前記第１の通信機と前記第３の通信機との間で前記第１の通信接続は確立されてなく、前記指示情報は、前記無線通信端末への前記接続要求の送信を前記外部端末に指示する情報であり、前記第１の条件は、前記第２の通信プロトコルに基づく第２の通信接続が前記第２の通信機と前記第４の通信機との間で確立されているという条件であり、前記第２の条件は、前記第１の通信機が前記第１のモードで動作しているという条件であり、
前記指示情報が前記第４の通信機に送信された後、前記第３の通信機によって送信された前記接続要求が前記第１の通信機によって受信された場合、前記第２のステップにおいて、前記第１の通信機は、前記第１の通信プロトコルに従って前記第３の通信機と前記第１の通信接続を確立し、
前記第１の通信接続が確立された後、前記第３のステップにおいて、前記第１の通信機は前記第３の通信機と前記データ通信を行う
プログラム。
【発明の詳細な説明】
【技術分野】
【０００１】
本発明は、無線通信端末、無線通信システム、無線通信方法、およびプログラムに関する。
【背景技術】
【０００２】
近年、スマートフォンの高性能化および高機能化に伴い、種々の機器とスマートフォンとの無線接続による連携が増えてきている。例えば、カメラとスマートフォンとが無線接続し、カメラで撮影されかつ保存された画像がスマートフォンに送信される。様々な種類の無線技術が、それぞれの機器とスマートフォンとの無線接続に使用される。代表的な無線技術として、ＩＥＥＥ８０２．１１およびそのシリーズである無線ＬＡＮ（Ｌｏｃａｌ  Ａｒｅａ  Ｎｅｔｗｏｒｋ）がよく利用されている。その他にＢｌｕｅｔｏｏｔｈ（登録商標）もよく利用されている。これらの複数の無線技術の組み合わせが利用されることもある。【０００３】
例えば、特許文献１に開示された技術において、無線通信端末が所定の装置とＢｌｕｅｔｏｏｔｈ（登録商標）で接続した場合、無線通信端末は無線ＬＡＮを動作状態にする。さらに、無線ＬＡＮが切断されている場合、無線通信端末は無線ＬＡＮの接続を試みる。この技術において、Ｂｌｕｅｔｏｏｔｈ（登録商標）の接続が契機になることにより無線通信端末は所望のタイミングで無線ＬＡＮにより接続することができる。【０００４】
一般的に、無線ＬＡＮにおいて、モバイル機器とスマートフォンとがこれら２つの機器とは別のアクセスポイント（ＡＰ）経由で接続する場合よりも、これら２つの機器が直接接続する場合が多い。スマートフォンはステーション（ＳＴＡ）として動作する場合が多い。このため、無線ＬＡＮによりこれら２つの機器が直接接続する場合、スマートフォンと接続するモバイル機器（例えばカメラ）はＡＰとして動作する必要がある。無線ＬＡＮが動作している間の消費電力は大きい。このため、モバイル機器は、無線通信していない間は、スマートフォンとの間の無線ＬＡＮを切断する、あるいは無線ＬＡＮを停止する。無線ＬＡＮが切断された場合、接続状態は解消されるが、無線ＬＡＮの動作（例えば、ビーコンの送信）は継続する。無線ＬＡＮが停止した場合、電波の送信および受信が停止する。無線ＬＡＮの切断または停止の後、モバイル機器はスマートフォンへのデータの送信時に再度無線接続することにより、消費電力を削減することができる。
【先行技術文献】
【特許文献】
【０００５】
【特許文献１】日本国特開２０１３−１９１９３３号公報
【発明の概要】
【発明が解決しようとする課題】
【０００６】
しかしながら、上述したようにスマートフォンがＳＴＡとして動作し、かつモバイル機器がＡＰとして動作する場合、以下に示す問題がある。無線ＬＡＮの接続はＳＴＡからＡＰに対して行われるが、逆にＡＰからＳＴＡに対して接続することはできない。そのため、無線ＬＡＮが切断または停止している状態において、ＡＰであるモバイル機器からＳＴＡであるスマートフォンに接続することはできない。つまり、無線ＬＡＮが切断または停止している状態において、カメラからスマートフォンに対する画像等のデータの送信が必要な状況が発生した場合でも、スマートフォンがカメラへの接続を行わない限り、カメラはデータをスマートフォンに送ることができない。そのため、無線ＬＡＮが切断または停止している状況でカメラがデータをスマートフォンに送るためには、ユーザがスマートフォンを操作することによりスマートフォンを無線ＬＡＮでカメラに接続させる必要がある。その後、ユーザは、カメラを操作することによりカメラからスマートフォンにデータを送る必要がある。これはユーザにとって不便である。特許文献１に開示された無線通信端末はＳＴＡとして動作するため、ＡＰであるカメラは所望のタイミングで無線ＬＡＮにより無線通信端末に接続することができない。【０００７】
本発明は、第１のモードおよび第２のモードのうち第２のモードで動作する端末のみが接続要求を送信することができる通信プロトコルに従う無線通信に関する。具体的には、本発明は、第１のモードで動作できる無線通信端末が、第２のモードで動作する外部端末と無線通信端末からのトリガにより無線接続することができる無線通信端末、無線通信システム、無線通信方法、およびプログラムを提供することを目的とする。
【課題を解決するための手段】
【０００８】
本発明の第１の態様によれば、無線通信端末は、第１の通信機と、第２の通信機と、１つまたは複数のプロセッサとを有する。前記第１の通信機は、第１の通信プロトコルに従って無線通信を行う。前記第２の通信機は、第２の通信プロトコルに従って無線通信を行う。外部端末は、第３の通信機と、第４の通信機とを有する。前記第３の通信機は、前記第１の通信プロトコルに従って無線通信を行う。前記第４の通信機は、前記第２の通信プロトコルに従って無線通信を行う。前記第１の通信プロトコルおよび前記第２の通信プロトコルは、少なくともデータリンク層のプロトコルを含む。前記第１の通信プロトコルにおいて、第１のモードと第２のモードとが定義されている。前記第２の通信プロトコルは、前記第１の通信プロトコルと異なる。前記第１の通信機が前記第１のモードで動作し、かつ前記第３の通信機が第２のモードで動作しているとき、前記第１の通信機および前記第３の通信機の間で前記第１の通信プロトコルに従って、データリンク層よりも上位の層のデータ通信のための第１の通信接続が確立できる。前記第１の通信機が前記第１のモードで動作し、かつ前記第３の通信機が前記第２のモードで動作しているとき、前記第１の通信機および前記第３の通信機のうち前記第３の通信機のみが前記第１の通信プロトコルに従って接続要求を送信できる。第１の条件および第２の条件が満たされるとき、前記プロセッサは、指示情報を前記第２の通信機によって前記第４の通信機に送信する。前記指示情報が前記第４の通信機に送信されたとき、前記第１の通信機と前記第３の通信機との間で前記第１の通信接続は確立されてない。前記指示情報は、前記無線通信端末への前記接続要求の送信を前記外部端末に指示する情報である。前記第１の条件は、前記第２の通信プロトコルに基づく第２の通信接続が前記第２の通信機と前記第４の通信機との間で確立されているという条件である。前記第２の条件は、前記第１の通信機が前記第１のモードで動作しているという条件である。前記指示情報が前記第４の通信機に送信された後、前記第３の通信機によって送信された前記接続要求が前記第１の通信機によって受信された場合、前記プロセッサは、前記第１の通信機によって、前記第１の通信プロトコルに従って前記第３の通信機と前記第１の通信接続を確立する。前記第１の通信接続が確立された後、前記プロセッサは、前記第１の通信機によって前記第３の通信機と前記データ通信を行う。【０００９】
本発明の第２の態様によれば、第１の態様において、前記第１の通信機のデータ通信量が所定量以下である場合、または前記無線通信端末が第１の状態から第２の状態になった場合、前記プロセッサは、前記第１の通信機に前記第１のモードの動作を停止させてもよい。前記第２の状態における前記無線通信端末の消費電力は、前記第１の状態における前記無線通信端末の消費電力よりも小さくなるように制御される。前記第１の条件が満たされ、かつ前記第２の条件が満たされない場合、前記プロセッサは、前記第１の通信機を前記第１のモードで動作させた後、前記指示情報を前記第２の通信機によって前記第４の通信機に送信してもよい。【００１０】
本発明の第３の態様によれば、第１の態様において、前記無線通信端末は、イメージセンサをさらに有してもよい。前記無線通信端末は、第３のモードで動作することができてもよい。前記第３のモードは、前記イメージセンサが撮像を行うことにより生成された画像データを前記外部端末に送信するモードである。前記プロセッサは、前記第３のモードが前記無線通信端末に設定されたか否かを判断してもよい。前記第１の条件、前記第２の条件、および第３の条件が満たされるとき、前記プロセッサは、前記指示情報を前記第２の通信機によって前記第４の通信機に送信してもよい。前記第３の条件は、前記第３のモードが前記無線通信端末に設定されたと前記プロセッサが判断するという条件である。【００１１】
本発明の第４の態様によれば、第３の態様において、前記プロセッサは、前記第１の通信機と前記第３の通信機との間の前記第１の通信接続の状態を判断してもよい。前記第１の通信接続の前記状態は、接続状態と切断状態とのいずれか１つであってもよい。前記第１の条件、前記第２の条件、前記第３の条件、および第４の条件が満たされるとき、前記プロセッサは、前記指示情報を前記第２の通信機によって前記第４の通信機に送信してもよい。前記第４の条件は、前記第１の通信接続の前記状態が前記切断状態であるという条件である。前記指示情報が送信されるタイミングは、前記第３のモードが前記無線通信端末に設定されたと前記プロセッサが判断したタイミング、または前記イメージセンサが撮像を行うタイミングであってもよい。【００１２】
本発明の第５の態様によれば、第３の態様において、前記第１の通信機のデータ通信量が所定量以下である場合、または前記無線通信端末が第１の状態から第２の状態になった場合、前記プロセッサは、前記第１の通信機に前記第１のモードの動作を停止させてもよい。前記第２の状態における前記無線通信端末の消費電力は、前記第１の状態における前記無線通信端末の消費電力よりも小さくなるように制御される。前記第１の条件および前記第３の条件が満たされ、かつ前記第２の条件が満たされない場合、前記プロセッサは、前記第１の通信機を前記第１のモードで動作させた後、前記指示情報を前記第２の通信機によって前記第４の通信機に送信してもよい。前記指示情報が送信されるタイミングは、前記第３のモードが前記無線通信端末に設定されたと前記プロセッサが判断したタイミング、または前記イメージセンサが撮像を行うタイミングであってもよい。【００１３】
本発明の第６の態様によれば、第１の態様において、前記プロセッサは、第１の指示または第２の指示が受け付けられたか否かを判断してもよい。前記第１の指示は、前記外部端末が保持するセンサデータを取得する指示である。前記第２の指示は、通信不可能状態である前記第１の通信機を通信可能状態にする指示である。第１の条件、第２の条件、および第５の条件が満たされるとき、前記プロセッサは、前記指示情報を前記第２の通信機によって前記第４の通信機に送信してもよい。前記第５の条件は、前記第１の指示または前記第２の指示が受け付けられたと前記プロセッサが判断するという条件である。【００１４】
本発明の第７の態様によれば、第１の態様において、前記第２の通信接続が前記第２の通信機と前記第４の通信機との間で確立された状態で前記第１の通信機の電源がオフになった場合、前記プロセッサは、前記第２の通信機と前記第４の通信機との間で確立された前記第２の通信接続を維持してもよい。前記第１の通信機の前記電源がオフであるときに前記第１の通信機の前記電源をオンにする指示を前記プロセッサが受け付けた場合、前記プロセッサは、前記第１の通信機の前記電源をオンにしてもよい。【００１５】
本発明の第８の態様によれば、無線通信システムは、無線通信端末と外部端末とを有する。前記無線通信端末は、第１の通信機と、第２の通信機と、１つまたは複数のプロセッサとを有する。前記第１の通信機は、第１の通信プロトコルに従って無線通信を行う。前記第２の通信機は、第２の通信プロトコルに従って無線通信を行う。前記外部端末は、第３の通信機と、第４の通信機とを有する。前記第３の通信機は、前記第１の通信プロトコルに従って無線通信を行う。前記第４の通信機は、前記第２の通信プロトコルに従って無線通信を行う。前記第１の通信プロトコルおよび前記第２の通信プロトコルは、少なくともデータリンク層のプロトコルを含む。前記第１の通信プロトコルにおいて、第１のモードと第２のモードとが定義されている。前記第２の通信プロトコルは、前記第１の通信プロトコルと異なる。前記第１の通信機が前記第１のモードで動作し、かつ前記第３の通信機が第２のモードで動作しているとき、前記第１の通信機および前記第３の通信機の間で前記第１の通信プロトコルに従って、データリンク層よりも上位の層のデータ通信のための第１の通信接続が確立できる。前記第１の通信機が前記第１のモードで動作し、かつ前記第３の通信機が前記第２のモードで動作しているとき、前記第１の通信機および前記第３の通信機のうち前記第３の通信機のみが前記第１の通信プロトコルに従って接続要求を送信できる。第１の条件および第２の条件が満たされるとき、前記プロセッサは、指示情報を前記第２の通信機によって前記第４の通信機に送信する。前記指示情報が前記第４の通信機に送信されたとき、前記第１の通信機と前記第３の通信機との間で前記第１の通信接続は確立されてない。前記指示情報は、前記無線通信端末への前記接続要求の送信を前記外部端末に指示する情報である。前記第１の条件は、前記第２の通信プロトコルに基づく第２の通信接続が前記第２の通信機と前記第４の通信機との間で確立されているという条件である。前記第２の条件は、前記第１の通信機が前記第１のモードで動作しているという条件である。前記指示情報が前記第４の通信機に送信された後、前記第３の通信機によって送信された前記接続要求が前記第１の通信機によって受信された場合、前記プロセッサは、前記第１の通信機によって、前記第１の通信プロトコルに従って前記第３の通信機と前記第１の通信接続を確立する。前記第１の通信接続が確立された後、前記プロセッサは、前記第１の通信機によって前記第３の通信機と前記データ通信を行う。前記第４の通信機は、前記第２の通信機によって送信された前記指示情報を受信する。前記指示情報が受信された後、前記第３の通信機は、前記接続要求を前記第１の通信機に送信する。前記接続要求が送信された後、前記第３の通信機は、前記第１の通信機と前記第１の通信接続を確立する。前記第１の通信接続が確立された後、前記第３の通信機は、前記第１の通信機と前記データ通信を行う。【００１６】
本発明の第９の態様によれば、無線通信方法は、無線通信端末によって実行される第１のステップと、第２のステップと、第３のステップとを有する。前記無線通信端末は、第１の通信機と、第２の通信機とを有する。前記第１の通信機は、第１の通信プロトコルに従って無線通信を行う。前記第２の通信機は、第２の通信プロトコルに従って無線通信を行う。外部端末は、第３の通信機と、第４の通信機とを有する。前記第３の通信機は、前記第１の通信プロトコルに従って無線通信を行う。前記第４の通信機は、前記第２の通信プロトコルに従って無線通信を行う。前記第１の通信プロトコルおよび前記第２の通信プロトコルは、少なくともデータリンク層のプロトコルを含む。前記第１の通信プロトコルにおいて、第１のモードと第２のモードとが定義されている。前記第２の通信プロトコルは、前記第１の通信プロトコルと異なる。前記第１の通信機が前記第１のモードで動作し、かつ前記第３の通信機が第２のモードで動作しているとき、前記第１の通信機および前記第３の通信機の間で前記第１の通信プロトコルに従って、データリンク層よりも上位の層のデータ通信のための第１の通信接続が確立できる。前記第１の通信機が前記第１のモードで動作し、かつ前記第３の通信機が前記第２のモードで動作しているとき、前記第１の通信機および前記第３の通信機のうち前記第３の通信機のみが前記第１の通信プロトコルに従って接続要求を送信できる。第１の条件および第２の条件が満たされるとき、前記第１のステップにおいて、前記第２の通信機は、指示情報を前記第４の通信機に送信する。前記指示情報が前記第４の通信機に送信されたとき、前記第１の通信機と前記第３の通信機との間で前記第１の通信接続は確立されてない。前記指示情報は、前記無線通信端末への前記接続要求の送信を前記外部端末に指示する情報である。前記第１の条件は、前記第２の通信プロトコルに基づく第２の通信接続が前記第２の通信機と前記第４の通信機との間で確立されているという条件である。前記第２の条件は、前記第１の通信機が前記第１のモードで動作しているという条件である。前記指示情報が前記第４の通信機に送信された後、前記第３の通信機によって送信された前記接続要求が前記第１の通信機によって受信された場合、前記第２のステップにおいて、前記第１の通信機は、前記第１の通信プロトコルに従って前記第３の通信機と前記第１の通信接続を確立する。前記第１の通信接続が確立された後、前記第３のステップにおいて、前記第１の通信機は前記第３の通信機と前記データ通信を行う。【００１７】
本発明の第１０の態様によれば、プログラムは、第１のステップと、第２のステップと、第３のステップとを無線通信端末のコンピュータに実行させるためのプログラムである。前記無線通信端末は、第１の通信機と、第２の通信機とを有する。前記第１の通信機は、第１の通信プロトコルに従って無線通信を行う。前記第２の通信機は、第２の通信プロトコルに従って無線通信を行う。外部端末は、第３の通信機と、第４の通信機とを有する。前記第３の通信機は、前記第１の通信プロトコルに従って無線通信を行う。前記第４の通信機は、前記第２の通信プロトコルに従って無線通信を行う。前記第１の通信プロトコルおよび前記第２の通信プロトコルは、少なくともデータリンク層のプロトコルを含む。前記第１の通信プロトコルにおいて、第１のモードと第２のモードとが定義されている。前記第２の通信プロトコルは、前記第１の通信プロトコルと異なる。前記第１の通信機が前記第１のモードで動作し、かつ前記第３の通信機が第２のモードで動作しているとき、前記第１の通信機および前記第３の通信機の間で前記第１の通信プロトコルに従って、データリンク層よりも上位の層のデータ通信のための第１の通信接続が確立できる。前記第１の通信機が前記第１のモードで動作し、かつ前記第１の通信機および前記第３の通信機のうち前記第３の通信機が前記第２のモードで動作しているとき、前記第３の通信機のみが前記第１の通信プロトコルに従って接続要求を送信できる。第１の条件および第２の条件が満たされるとき、前記第１のステップにおいて、前記第２の通信機は、指示情報を前記第４の通信機に送信する。前記指示情報が前記第４の通信機に送信されたとき、前記第１の通信機と前記第３の通信機との間で前記第１の通信接続は確立されてない。前記指示情報は、前記無線通信端末への前記接続要求の送信を前記外部端末に指示する情報である。前記第１の条件は、前記第２の通信プロトコルに基づく第２の通信接続が前記第２の通信機と前記第４の通信機との間で確立されているという条件である。前記第２の条件は、前記第１の通信機が前記第１のモードで動作しているという条件である。前記指示情報が前記第４の通信機に送信された後、前記第３の通信機によって送信された前記接続要求が前記第１の通信機によって受信された場合、前記第２のステップにおいて、前記第１の通信機は、前記第１の通信プロトコルに従って前記第３の通信機と前記第１の通信接続を確立する。前記第１の通信接続が確立された後、前記第３のステップにおいて、前記第１の通信機は前記第３の通信機と前記データ通信を行う。
【発明の効果】
【００１８】
上記の各態様によれば、無線通信端末への接続要求の送信を外部端末に指示する指示情報が無線通信端末の第２の通信機によって外部端末の第４の通信機に送信される。外部端末の第３の通信機によって送信された接続要求が無線通信端末の第１の通信機によって受信された場合、第１の通信機と第３の通信機との間で第１の通信接続が確立される。このため、第１のモードで動作できる無線通信端末が、第２のモードで動作する外部端末と無線通信端末からのトリガにより無線接続することができる。
【図面の簡単な説明】
【００１９】
【図１】本発明の第１の実施形態の無線通信システムの構成を示すブロック図である。
【図２】本発明の第１の実施形態の無線通信端末のハードウェア構成を示すブロック図である。
【図３】本発明の第１の実施形態の外部端末のハードウェア構成を示すブロック図である。
【図４】本発明の第１の実施形態の無線通信端末の動作の手順を示すフローチャートである。
【図５】本発明の第１の実施形態における通信の手順を示すシーケンス図である。
【図６】本発明の第１の実施形態の変形例の無線通信端末のハードウェア構成を示すブロック図である。
【図７】本発明の第２の実施形態の無線通信端末の動作の手順を示すフローチャートである。
【図８】本発明の第２の実施形態の無線通信端末の動作の手順を示すフローチャートである。
【図９】本発明の第２の実施形態における通信の手順を示すシーケンス図である。
【図１０】本発明の第３の実施形態の無線通信端末のハードウェア構成を示すブロック図である。
【図１１】本発明の第３の実施形態の無線通信端末の動作の手順を示すフローチャートである。
【図１２】本発明の第３の実施形態の無線通信端末の動作の手順を示すフローチャートである。
【図１３】本発明の第３の実施形態における通信の手順を示すシーケンス図である。
【図１４】本発明の第３の実施形態における通信の手順を示すシーケンス図である。
【図１５】本発明の第３の実施形態の変形例の無線通信端末のハードウェア構成を示すブロック図である。
【図１６】本発明の第４の実施形態の無線通信端末の動作の手順を示すフローチャートである。
【図１７】本発明の第４の実施形態の無線通信端末の動作の手順を示すフローチャートである。
【図１８】本発明の第４の実施形態における通信の手順を示すシーケンス図である。
【図１９】本発明の第４の実施形態における通信の手順を示すシーケンス図である。
【図２０】本発明の第４の実施形態における通信の手順を示すシーケンス図である。
【図２１】本発明の第５の実施形態の無線通信端末の動作の手順を示すフローチャートである。
【図２２】本発明の第５の実施形態における通信の手順を示すシーケンス図である。
【発明を実施するための形態】
【００２０】
図面を参照し、本発明の実施形態を説明する。
【００２１】
（第１の実施形態）
図１は、本発明の第１の実施形態の無線通信システム１１の構成を示している。図１に示すように、無線通信システム１１は、無線通信端末１０１と外部端末２０１とを有する。無線通信端末１０１および外部端末２０１は、無線通信を行う。図１では、１つの無線通信端末１０１と１つの外部端末２０１とが示されている。複数の無線通信端末１０１または複数の外部端末２０１が存在してもよい。
【００２２】
図２は、無線通信端末１０１のハードウェア構成を示している。図２に示すように、無線通信端末１０１は、プロセッサ１１１と、第１の通信機１２１と、第２の通信機１３１とを有する。
【００２３】
図３は、外部端末２０１のハードウェア構成を示している。図３に示すように、外部端末２０１は、プロセッサ２１１と、第３の通信機２２１と、第４の通信機２３１とを有する。
【００２４】
無線通信端末１０１および外部端末２０１の概略構成を説明する。第１の通信機１２１は、第１の通信プロトコルに従って無線通信を行う。第２の通信機１３１は、第２の通信プロトコルに従って無線通信を行う。第３の通信機２２１は、第１の通信プロトコルに従って無線通信を行う。第４の通信機２３１は、第２の通信プロトコルに従って無線通信を行う。第１の通信プロトコルおよび第２の通信プロトコルは、少なくともデータリンク層のプロトコルを含む。第１の通信プロトコルにおいて、第１のモードと第２のモードとが定義されている。第２の通信プロトコルは、第１の通信プロトコルと異なる。第１の通信機１２１が第１のモードで動作し、かつ第３の通信機２２１が第２のモードで動作しているとき、第１の通信機１２１および第３の通信機２２１の間で第１の通信プロトコルに従って、データリンク層よりも上位の層のデータ通信のための第１の通信接続が確立できる。第１の通信機１２１が第１のモードで動作し、かつ第３の通信機２２１が第２のモードで動作しているとき、第１の通信機１２１および第３の通信機２２１のうち第３の通信機２２１のみが第１の通信プロトコルに従って接続要求を送信できる。
【００２５】
第１の条件および第２の条件が満たされるとき、プロセッサ１１１は、指示情報を第２の通信機１３１によって第４の通信機２３１に送信する。指示情報が第４の通信機２３１に送信されたとき、第１の通信機１２１と第３の通信機２２１との間で第１の通信接続は確立されてない。指示情報は、無線通信端末１０１への接続要求の送信を外部端末２０１に指示する情報である。第１の条件は、第２の通信プロトコルに基づく第２の通信接続が第２の通信機１３１と第４の通信機２３１との間で確立されているという条件である。第２の条件は、第１の通信機１２１が第１のモードで動作しているという条件である。
【００２６】
指示情報が第４の通信機２３１に送信された後、第３の通信機２２１によって送信された接続要求が第１の通信機１２１によって受信された場合、プロセッサ１１１は、第１の通信機１２１によって、第１の通信プロトコルに従って第３の通信機２２１と第１の通信接続を確立する。第１の通信接続が確立された後、プロセッサ１１１は、第１の通信機１２１によって第３の通信機２２１とデータ通信を行う。第４の通信機２３１は、第２の通信機１３１によって送信された指示情報を受信する。指示情報が受信された後、第３の通信機２２１は、接続要求を第１の通信機１２１に送信する。接続要求が送信された後、第３の通信機２２１は、第１の通信機１２１と第１の通信接続を確立する。第１の通信接続が確立された後、第３の通信機２２１は、第１の通信機１２１とデータ通信を行う。
【００２７】
第１の通信プロトコルおよび第２の通信プロトコルは、少なくともデータリンク層のプロトコルを含む通信プロトコルであればよい。データリンク層は、ＯＳＩ（Ｏｐｅｎ  Ｓｙｓｔｅｍｓ  Ｉｎｔｅｒｃｏｎｎｅｃｔｉｏｎ）参照モデルの１つの層である。例えば、第１の通信プロトコルは、無線ＬＡＮである。例えば、第１のモードは親機モードであり、かつ第２のモードは子機モードである。無線ＬＡＮにおいて、第１のモードで動作する端末は、アクセスポイント（ＡＰ）である。無線ＬＡＮにおいて、第２のモードで動作する端末は、ステーション（ＳＴＡ）である。接続要求は、第１の通信プロトコルで定義された形式のメッセージである。例えば、データリンク層よりも上位の層のデータ通信は、アプリケーション層のデータ通信である。例えば、第２の通信プロトコルは、Ｂｌｕｅｔｏｏｔｈ（登録商標）である。第２の通信プロトコルは、ＮＦＣ、ＲＦＩＤ、ＴｒａｎｓｆｅｒＪｅｔ（登録商標）、および赤外線通信などのいずれであってもよい。指示情報は、第２の通信プロトコルで定義された形式のメッセージである。
【００２８】
第２の通信機１３１および第４の通信機２３１は、第２の通信プロトコルに従って動作する。第２の通信プロトコルにおいて、第１の通信プロトコルの第１のモードと同様な第１のモードが定義され、かつ第１の通信プロトコルの第２のモードと同様な第２のモードが定義されていてもよい。あるいは、第２の通信プロトコルにおいて第１のモードおよび第２のモードが定義されていなくてもよい。第２の通信プロトコルにおいて第１のモードおよび第２のモードが定義されている場合、第２の通信機１３１および第４の通信機２３１は、第１のモードおよび第２のモードのうちどちらのモードで動作してもよい。
【００２９】
無線通信端末１０１および外部端末２０１の詳細構成を説明する。無線通信端末１０１は、１つまたは複数のプロセッサを有する。図２において、１つのプロセッサ１１１が示されている。例えば、プロセッサ１１１は、ＣＰＵ（Ｃｅｎｔｒａｌ  Ｐｒｏｃｅｓｓｉｎｇ  Ｕｎｉｔ）で構成されている。プロセッサ１１１は、特定用途向け集積回路（ＡＳＩＣ）またはＦＰＧＡ（Ｆｉｅｌｄ−Ｐｒｏｇｒａｍｍａｂｌｅ  Ｇａｔｅ  Ａｒｒａｙ）で構成されてもよい。プロセッサ１１１は、無線通信端末１０１の動作を制御する。
【００３０】
例えば、プロセッサ１１１の機能は、プロセッサ１１１の動作を規定する命令を含むプログラムをプロセッサ１１１が読み込んで実行することにより、ソフトウェアの機能として実現可能である。このプログラムは、例えばフラッシュメモリのような「コンピュータ読み取り可能な記録媒体」により提供されてもよい。また、上述したプログラムは、このプログラムが保存された記憶装置等を有するコンピュータから、伝送媒体を介して、あるいは伝送媒体中の伝送波により無線通信端末１０１に伝送されてもよい。プログラムを伝送する「伝送媒体」は、インターネット等のネットワーク（通信網）や電話回線等の通信回線（通信線）のように、情報を伝送する機能を有する媒体である。また、上述したプログラムは、前述した機能の一部を実現してもよい。さらに、上述したプログラムは、前述した機能をコンピュータに既に記録されているプログラムとの組合せで実現できる差分ファイル（差分プログラム）であってもよい。
【００３１】
例えば、第１の通信機１２１は、無線モジュールである。第１の通信機１２１は、ベースバンド回路１２２と、ＲＦ回路１２３と、アンテナ１２４とを有する。ベースバンド回路１２２は、プロセッサ１１１からの指示に従いデジタル信号処理を行い、デジタル信号をＤ／Ａ変換によりアナログ信号に変換する。ベースバンド回路１２２によって生成されたアナログ信号はＲＦ回路１２３に出力される。また、ベースバンド回路１２２は、ＲＦ回路１２３から出力されたアナログ信号をＡ／Ｄ変換によりデジタル信号に変換し、かつデジタル信号に対する処理を行う。ベースバンド回路１２２によってデジタル信号に対して行われる処理のうち、ＭＡＣ（Ｍｅｄｉａ  Ａｃｃｅｓｓ  Ｃｏｎｔｒｏｌ）層の処理の一部は、プロセッサ１１１によって制御される。ＭＡＣ層は、データリンク層に含まれる。
【００３２】
ＲＦ回路１２３は、ベースバンド回路１２２から出力されたアナログ信号を搬送波の周波数帯のアナログ信号に変調する。ＲＦ回路１２３によって変調されたアナログ信号は、アンテナ１２４に出力される。また、ＲＦ回路１２３は、アンテナ１２４から出力された搬送波の周波数帯のアナログ信号を復調する。ＲＦ回路１２３によって復調されたアナログ信号は、ベースバンド回路１２２に出力される。アンテナ１２４は、ＲＦ回路１２３から出力されたアナログ信号を電波に変換し、かつ電波を外部端末２０１に送信する。また、アンテナ１２４は、外部端末２０１から送信された電波を受信し、かつ受信された電波をアナログ信号に変換する。アンテナ１２４によって処理されたアナログ信号は、ＲＦ回路１２３に出力される。
【００３３】
第１のモードおよび第２のモードのうち第１のモードのみが第１の通信機１２１に設定できる。第１の通信機１２１は、第１のモードが設定された状態と、第１のモードの設定が解除された状態とになることができる。
【００３４】
例えば、第２の通信機１３１は、無線モジュールである。第２の通信機１３１は、ベースバンド回路１３２と、ＲＦ回路１３３と、アンテナ１３４とを有する。ベースバンド回路１３２の機能は、ベースバンド回路１２２の機能と同様である。ＲＦ回路１３３の機能は、ＲＦ回路１２３の機能と同様である。アンテナ１３４の機能は、アンテナ１２４の機能と同様である。
【００３５】
プロセッサ１１１は、データまたは情報を第１の通信機１２１または第２の通信機１３１によって外部端末２０１に送信する。具体的には、プロセッサ１１１は、データまたは情報が外部端末２０１に送信されるように第１の通信機１２１または第２の通信機１３１を制御する。つまり、プロセッサ１１１は、外部端末２０１に対するデータまたは情報を第１の通信機１２１または第２の通信機１３１に送信させる。これによって、第１の通信機１２１または第２の通信機１３１は、データまたは情報を外部端末２０１に送信する。プロセッサ１１１は、データまたは情報を第１の通信機１２１または第２の通信機１３１によって外部端末２０１から受信する。具体的には、プロセッサ１１１は、データまたは情報が外部端末２０１から受信されるように第１の通信機１２１または第２の通信機１３１を制御する。つまり、プロセッサ１１１は、外部端末２０１から送信されたデータまたは情報を第１の通信機１２１または第２の通信機１３１に受信させる。これによって、第１の通信機１２１または第２の通信機１３１は、データまたは情報を外部端末２０１から受信する。
【００３６】
無線通信端末１０１は、図２に示されていない構成を有してもよい。例えば、無線通信端末１０１は、モニタ、操作部、およびメモリの少なくとも１つを有してもよい。
【００３７】
図２に示すように、アンテナ１２４およびアンテナ１３４は、通信機内に配置されている。アンテナ１２４およびアンテナ１３４は、通信機外に配置されてもよい。アンテナ１２４が第１の通信機１２１内に配置され、かつアンテナ１３４が第２の通信機１３１外に配置されてもよい。あるいは、アンテナ１２４が第１の通信機１２１外に配置され、かつアンテナ１３４が第２の通信機１３１内に配置されてもよい。図２に示すように、アンテナ１２４およびアンテナ１３４は、互いに異なるアンテナとして構成されている。１つのアンテナが第１の通信機１２１と第２の通信機１３１とで共用されてもよい。
【００３８】
外部端末２０１は、１つまたは複数のプロセッサを有する。図３において、１つのプロセッサ２１１が示されている。例えば、プロセッサ２１１は、ＣＰＵで構成されている。プロセッサ２１１は、特定用途向け集積回路またはＦＰＧＡで構成されてもよい。プロセッサ２１１は、外部端末２０１の動作を制御する。プロセッサ２１１は、本発明の各態様の無線通信装置が無線通信する外部端末の構成として必須ではない。
【００３９】
例えば、プロセッサ２１１の機能は、プロセッサ２１１の動作を規定する命令を含むプログラムをプロセッサ２１１が読み込んで実行することにより、ソフトウェアの機能として実現可能である。このプログラムの実現形態は、プロセッサ１１１の機能を実現するプログラムの実現形態と同様である。
【００４０】
例えば、第３の通信機２２１は、無線モジュールである。第３の通信機２２１は、ベースバンド回路２２２と、ＲＦ回路２２３と、アンテナ２２４とを有する。ベースバンド回路２２２は、プロセッサ２１１からの指示に従いデジタル信号処理を行い、デジタル信号をＤ／Ａ変換によりアナログ信号に変換する。ベースバンド回路２２２によって生成されたアナログ信号はＲＦ回路２２３に出力される。また、ベースバンド回路２２２は、ＲＦ回路２２３から出力されたアナログ信号をＡ／Ｄ変換によりデジタル信号に変換し、かつデジタル信号に対する処理を行う。ベースバンド回路２２２によってデジタル信号に対して行われる処理のうち、ＭＡＣ層の処理の一部は、プロセッサ２１１によって制御される。
【００４１】
ＲＦ回路２２３は、ベースバンド回路２２２から出力されたアナログ信号を搬送波の周波数帯のアナログ信号に変調する。ＲＦ回路２２３によって変調されたアナログ信号は、アンテナ２２４に出力される。また、ＲＦ回路２２３は、アンテナ２２４から出力された搬送波の周波数帯のアナログ信号を復調する。ＲＦ回路２２３によって復調されたアナログ信号は、ベースバンド回路２２２に出力される。アンテナ２２４は、ＲＦ回路２２３から出力されたアナログ信号を電波に変換し、かつ電波を無線通信端末１０１に送信する。また、アンテナ２２４は、無線通信端末１０１から送信された電波を受信し、かつ受信された電波をアナログ信号に変換する。アンテナ２２４によって処理されたアナログ信号は、ＲＦ回路２２３に出力される。
【００４２】
第１のモードおよび第２のモードのうち第２のモードのみが第３の通信機２２１に設定できる。第３の通信機２２１は、第２のモードが設定された状態と、第２のモードの設定が解除された状態とになることができる。第１の通信機１２１および第３の通信機２２１のうち第３の通信機２２１のみが第１の通信プロトコルに従って接続要求を送信できる。
【００４３】
例えば、第４の通信機２３１は、無線モジュールである。第４の通信機２３１は、ベースバンド回路２３２と、ＲＦ回路２３３と、アンテナ２３４とを有する。ベースバンド回路２３２の機能は、ベースバンド回路２２２の機能と同様である。ＲＦ回路２３３の機能は、ＲＦ回路２２３の機能と同様である。アンテナ２３４の機能は、アンテナ２２４の機能と同様である。
【００４４】
プロセッサ２１１は、データまたは情報を第３の通信機２２１または第４の通信機２３１によって無線通信端末１０１に送信する。具体的には、プロセッサ２１１は、データまたは情報が無線通信端末１０１に送信されるように第３の通信機２２１または第４の通信機２３１を制御する。つまり、プロセッサ２１１は、無線通信端末１０１に対するデータまたは情報を第３の通信機２２１または第４の通信機２３１に送信させる。これによって、第３の通信機２２１または第４の通信機２３１は、データまたは情報を無線通信端末１０１に送信する。プロセッサ２１１は、データまたは情報を第３の通信機２２１または第４の通信機２３１によって無線通信端末１０１から受信する。具体的には、プロセッサ２１１は、データまたは情報が無線通信端末１０１から受信されるように第３の通信機２２１または第４の通信機２３１を制御する。つまり、プロセッサ２１１は、無線通信端末１０１から送信されたデータまたは情報を第３の通信機２２１または第４の通信機２３１に受信させる。これによって、第３の通信機２２１または第４の通信機２３１は、データまたは情報を無線通信端末１０１から受信する。
【００４５】
外部端末２０１は、図３に示されていない構成を有してもよい。例えば、外部端末２０１は、モニタ、操作部、およびメモリの少なくとも１つを有してもよい。
【００４６】
図３に示すように、アンテナ２２４およびアンテナ２３４は、通信機内に配置されている。アンテナ２２４およびアンテナ２３４は、通信機外に配置されてもよい。アンテナ２２４が第３の通信機２２１内に配置され、かつアンテナ２３４が第４の通信機２３１外に配置されてもよい。あるいは、アンテナ２２４が第３の通信機２２１外に配置され、かつアンテナ２３４が第４の通信機２３１内に配置されてもよい。図３に示すように、アンテナ２２４およびアンテナ２３４は、互いに異なるアンテナとして構成されている。１つのアンテナが第３の通信機２２１と第４の通信機２３１とで共用されてもよい。
【００４７】
無線通信端末１０１の動作を説明する。図４は、無線通信端末１０１の動作を示している。
【００４８】
（ステップＳ１０１）
プロセッサ１１１は、第２の通信機１３１によって、第２の通信プロトコルに基づく第２の通信接続を第４の通信機２３１と確立する。つまり、プロセッサ１１１は、第２の通信接続の確立を第２の通信機１３１に指示する。第２の通信機１３１は、第４の通信機２３１と第２の通信接続を確立する。これによって、無線通信端末１０１と外部端末２０１との間で第２の通信接続が確立される。
【００４９】
第２の通信接続の確立に関して、無線通信端末１０１は外部端末２０１に対して接続の確立を行う、または外部端末２０１から接続を受け入れる。第２の通信プロトコルが対応する無線通信方式の種類によっては、端末の役割が、接続を行う役割または接続を受け入れる役割に限定される。例えば、無線通信端末１０１は、第２の通信プロトコルにより接続を行う役割を有し、かつ外部端末２０１は、第２の通信プロトコルにより接続を受け入れる役割を有する。あるいは、無線通信端末１０１は、第２の通信プロトコルにより接続を受け入れる役割を有し、かつ外部端末２０１は、第２の通信プロトコルにより接続を行う役割を有する。端末の役割が限定されない場合、無線通信端末１０１および外部端末２０１は、第２の通信プロトコルによる接続の実行と接続の受け入れとの両方が可能である。第２の通信接続の確立に関して、一方の端末から他方の端末に対する１回のみの通信が行われる。あるいは、一方の端末と他方の端末との間で複数回の通信が行われる。
【００５０】
（ステップＳ１０２）
第２の通信接続が確立された後、プロセッサ１１１は、第１の通信機１２１を第１のモードで動作させる。つまり、プロセッサ１１１は、第１のモードの動作の開始を第１の通信機１２１に指示する。第１の通信機１２１は、第１のモードの動作を開始する。ステップＳ１０１およびステップＳ１０２における処理の順番は、図４に示す順番に限らない。例えば、ステップＳ１０２における処理が行われた後、ステップＳ１０１における処理が行われてもよい。
【００５１】
（ステップＳ１０３）
第１のモードの動作が開始された後、プロセッサ１１１は、第１の通信接続の状態を第１の通信機１２１に問い合わせる。第１の通信接続の状態は、接続中状態または切断状態である。接続中状態は、接続が維持されている状態である。つまり、接続中状態は、第１の通信機１２１と第３の通信機２２１とがデータ通信を行うことができる状態である。切断状態は、第１の通信機１２１と第３の通信機２２１とが接続されていない状態である。つまり、切断状態は、第１の通信機１２１と第３の通信機２２１とがデータ通信を行うことができない状態である。第１の通信機１２１は、第１の通信接続の状態をプロセッサ１１１に応答する。プロセッサ１１１は、第１の通信機１２１からの応答に基づいて第１の通信接続の状態を判断する。第１の通信接続の状態が切断状態であるとプロセッサ１１１が判断した場合、プロセッサ１１１は、指示情報を第２の通信機１３１によって第４の通信機２３１に送信する。つまり、プロセッサ１１１は、指示情報の送信を第２の通信機１３１に指示する。第２の通信機１３１は、指示情報を第４の通信機２３１に送信する。
【００５２】
ステップＳ１０３において指示情報が第４の通信機２３１に送信されたとき、第１の通信機１２１と第３の通信機２２１との間で第１の通信接続は確立されていない。ステップＳ１０３において、第２の通信接続が第２の通信機１３１と第４の通信機２３１との間で既に確立されている。つまり、第１の条件が満たされる。ステップＳ１０３において、第１の通信機１２１は第１のモードで動作している。つまり、第２の条件が満たされる。
【００５３】
（ステップＳ１０４）
第３の通信機２２１から接続要求が送信された場合、第１の通信機１２１は、接続要求を受信する。無線ＬＡＮにおける接続要求は、Ａｓｓｏｃｉａｔｉｏｎ  Ｒｅｑｕｅｓｔである。プロセッサ１１１は、第１の通信機１２１を監視し、かつ接続要求が受信されたか否かを判断する。接続要求が受信されていないとプロセッサ１１１が判断した場合、ステップＳ１０４における処理が継続する。
【００５４】
（ステップＳ１０５）
接続要求が受信されたとプロセッサ１１１が判断した場合、プロセッサ１１１は、第１の通信機１２１によって、第１の通信プロトコルに従って第３の通信機２２１と第１の通信接続を確立する。つまり、プロセッサ１１１は、第１の通信接続の受け入れを第１の通信機１２１に指示する。第１の通信機１２１は、第１の通信接続を受け入れる。これによって、第１の通信機１２１は、第３の通信機２２１と第１の通信接続を確立する。この結果、無線通信端末１０１と外部端末２０１との間で第１の通信接続が確立される。
【００５５】
例えば、第１の通信接続の受け入れは、以下の処理により行われる。プロセッサ１１１は、接続要求により通知されたセキュリティおよび通信速度が許容できるか否かを判断する。セキュリティおよび通信速度が許容できる場合、プロセッサ１１１は、外部端末２０１との第１の通信接続が受け入れられた後に無線通信端末１０１に接続している端末の数が上限を超えているか否かを判断する。端末の数が上限を超えていないとプロセッサ１１１が判断した場合、第１の通信接続が受け入れられる。
【００５６】
（ステップＳ１０６）
第１の通信接続が受け入れられた後、第１の通信機１２１は、プロセッサ１１１からの第１の通信接続の受け入れの指示に基づいて、接続要求応答を第３の通信機２２１に送信する。これによって、接続要求の送信元である外部端末２０１に接続要求応答が送信され、かつ第１の通信接続の確立が完了する。無線ＬＡＮにおける接続要求応答は、Ａｓｓｏｃｉａｔｉｏｎ  Ｒｅｓｐｏｎｓｅである。プロセッサ１１１は、無線ネットワークの設定に応じて、第１の通信機１２１によって、認証のための通信を第３の通信機２２１と行う。認証のための通信は必須ではない。認証が成功した場合、無線通信端末１０１は、通信不可能状態からデータ通信可能状態に遷移する。あるいは、認証のための通信が不要である場合、無線通信端末１０１は、通信不可能状態からデータ通信可能状態に遷移する。
【００５７】
（ステップＳ１０７）
接続要求応答が送信された後、プロセッサ１１１は、第１の通信機１２１によって第３の通信機２２１とデータ通信を行う。つまり、プロセッサ１１１は、データ通信を第１の通信機１２１に指示する。第１の通信機１２１は、第３の通信機２２１とデータ通信を行う。第１の通信機１２１が第３の通信機２２１からデータを受信することによりデータ通信が開始されてもよい。無線通信端末１０１と外部端末２０１との間で送信されるデータは、画像データ、音声データ、および文書データのいずれであってもよい。無線通信端末１０１と外部端末２０１との間で送信されるデータは、これら以外のデータであってもよい。例えば、第５の実施形態で説明するように、無線通信端末１０１と外部端末２０１との間で送信されるデータは、センサデータであってもよい。
【００５８】
第１の通信接続が確立された後、第１の通信プロトコルに従うデータ通信において認証およびデータ通信の暗号化が行われてもよい。第２の通信接続が確立された後、第２の通信プロトコルに従うデータ通信において認証およびデータ通信の暗号化が行われてもよい。
【００５９】
無線通信端末１０１の動作に対応する外部端末２０１の動作を説明する。プロセッサ２１１は、第３の通信機２２１を第２のモードで動作させる。つまり、プロセッサ２１１は、第２のモードの動作の開始を第３の通信機２２１に指示する。第３の通信機２２１は、第２のモードの動作を開始する。
【００６０】
プロセッサ２１１は、第４の通信機２３１によって、第２の通信プロトコルに基づく第２の通信接続を第２の通信機１３１と確立する。つまり、プロセッサ２１１は、第２の通信接続の確立を第４の通信機２３１に指示する。第４の通信機２３１は、第２の通信機１３１と第２の通信接続を確立する。
【００６１】
第４の通信機２３１は、指示情報を第２の通信機１３１から受信する。指示情報が受信された場合、プロセッサ２１１は、接続要求を第３の通信機２２１によって第１の通信機１２１に送信する。つまり、プロセッサ２１１は、接続要求の送信を第３の通信機２２１に指示する。第３の通信機２２１は、接続要求を第１の通信機１２１に送信する。
【００６２】
接続要求が送信された後、プロセッサ２１１は、第３の通信機２２１によって、第１の通信プロトコルに従って第１の通信機１２１と第１の通信接続を確立する。つまり、プロセッサ２１１は、第１の通信接続の確立を第３の通信機２２１に指示する。第３の通信機２２１は、第１の通信機１２１と第１の通信接続を確立する。第３の通信機２２１は、接続要求応答を第１の通信機１２１から受信する。これによって、第１の通信接続の確立が完了する。
【００６３】
プロセッサ２１１は、第３の通信機２２１によって第１の通信機１２１とデータ通信を行う。つまり、プロセッサ２１１は、データ通信を第３の通信機２２１に指示する。第３の通信機２２１は、第１の通信機１２１とデータ通信を行う。第３の通信機２２１が第１の通信機１２１からデータを受信することによりデータ通信が開始されてもよい。
【００６４】
図５は、無線通信端末１０１および外部端末２０１の間の通信の手順を示している。図５を参照し、各端末の動作を説明する。
【００６５】
外部端末２０１において、第３の通信機２２１は第２のモードの動作を開始する。一方、無線通信端末１０１において、プロセッサ１１１は第２の通信接続の確立を第２の通信機１３１に指示する（ステップＳ１０１）。第２の通信機１３１は第４の通信機２３１と第２の通信接続を確立する（ステップＳ１０１）。
【００６６】
第２の通信接続が開始された後、プロセッサ１１１は、第１のモードの動作の開始を第１の通信機１２１に指示する（ステップＳ１０２）。第１の通信機１２１は、第１のモードの動作を開始する（ステップＳ１０２）。
【００６７】
第１の通信機１２１が第１のモードの動作を開始した後、プロセッサ１１１は、第１の通信接続の状態を第１の通信機１２１に問い合わせることにより、第１の通信接続の状態を確認する（ステップＳ１０３）。第１の通信機１２１は、第１の通信接続の状態が切断状態であることをプロセッサ１１１に応答する（ステップＳ１０３）。第１の通信接続の状態が切断状態であるため、プロセッサ１１１は、指示情報の送信を第２の通信機１３１に指示する（ステップＳ１０３）。第２の通信機１３１は、指示情報を第４の通信機２３１に送信する（ステップＳ１０３）。
【００６８】
外部端末２０１において、第４の通信機２３１は指示情報を第２の通信機１３１から受信する。指示情報が受信された後、第３の通信機２２１は、接続要求を第１の通信機１２１に送信する。
【００６９】
無線通信端末１０１において、第１の通信機１２１は接続要求を第３の通信機２２１から受信する（ステップＳ１０４）。第１の通信機１２１は、接続要求の受信をプロセッサ１１１に通知する（ステップＳ１０４）。
【００７０】
接続要求が受信された後、プロセッサ１１１は、第１の通信接続の受け入れを第１の通信機１２１に指示する（ステップＳ１０５）。第１の通信機１２１は、第１の通信接続を受け入れる（ステップＳ１０５）。その後、第１の通信機１２１は、接続要求応答を第３の通信機２２１に送信する（ステップＳ１０６）。
【００７１】
接続要求応答が送信された後、プロセッサ１１１は、データ通信を第１の通信機１２１に指示する（ステップＳ１０７）。第１の通信機１２１は、第３の通信機２２１とデータ通信を行う（ステップＳ１０７）。
【００７２】
第３の通信機２２１による第２のモードの動作は、図５に示されるタイミングよりも遅いタイミングで開始されてもよい。例えば、第２の通信接続が確立された後、かつ指示情報が受信される前に第３の通信機２２１は第２のモードの動作を開始してもよい。
【００７３】
本発明の各態様の無線通信方法は、図４に示す動作に基づく。無線通信方法は、無線通信端末１０１によって実行される第１のステップ（ステップＳ１０３）と、第２のステップ（ステップＳ１０５）と、第３のステップ（ステップＳ１０７）とを有する。第１の条件および第２の条件が満たされるとき、第１のステップにおいて、第２の通信機１３１は、指示情報を第４の通信機２３１に送信する。第１の条件は、第２の通信プロトコルに基づく第２の通信接続が第２の通信機１３１と第４の通信機２３１との間で確立されているという条件である。第２の条件は、第１の通信機１２１が第１のモードで動作しているという条件である。指示情報が第４の通信機２３１に送信された後、第３の通信機２２１によって送信された接続要求が第１の通信機１２１によって受信された場合、第２のステップにおいて、第１の通信機１２１は、第１の通信プロトコルに従って第３の通信機２２１と第１の通信接続を確立する。第１の通信接続が確立された後、第３のステップにおいて、第１の通信機１２１は第３の通信機２２１とデータ通信を行う。
【００７４】
本発明の各態様の無線通信方法は、上記の第１から第３のステップに対応する処理以外の処理を有していなくてもよい。
【００７５】
上記のように、無線通信端末１０１への接続要求の送信を外部端末２０１に指示する指示情報が無線通信端末１０１の第２の通信機１３１によって外部端末２０１の第４の通信機２３１に送信される。外部端末２０１の第３の通信機２２１によって送信された接続要求が無線通信端末１０１の第１の通信機１２１によって受信された場合、第１の通信機１２１と第３の通信機２２１との間で第１の通信接続が確立される。このため、第１のモードで動作できる無線通信端末１０１が、第２のモードで動作する外部端末２０１と無線通信端末１０１からのトリガにより無線接続することができる。
【００７６】
（第１の実施形態の変形例）
図６は、本発明の第１の実施形態の変形例の無線通信端末１０１ａのハードウェア構成を示している。図６に示す構成について、図２に示す構成と異なる点を説明する。
【００７７】
無線通信端末１０１ａにおいて、図２に示す無線通信端末１０１における第１の通信機１２１が第１の通信機１２１ａに変更され、かつ図２に示す無線通信端末１０１における第２の通信機１３１が第２の通信機１３１ａに変更される。第１の通信機１２１ａは、ベースバンド回路１２２と、ＲＦ回路１２３と、アンテナ１２４と、プロセッサ１２５とを有する。プロセッサ１２５は、ベースバンド回路１２２を制御する。第１の通信機１２１ａにおいて、プロセッサ１２５以外の構成は、第１の通信機１２１における構成と同一である。第２の通信機１３１ａは、ベースバンド回路１３２と、ＲＦ回路１３３と、アンテナ１３４と、プロセッサ１３５とを有する。プロセッサ１３５は、ベースバンド回路１３２を制御する。第２の通信機１３１ａにおいて、プロセッサ１３５以外の構成は、第２の通信機１３１における構成と同一である。プロセッサ１１１は、プロセッサ１２５およびプロセッサ１３５を制御する。プロセッサ１１１、プロセッサ１２５、およびプロセッサ１３５は、互いに共同して無線通信を制御する。上記以外の点については、図６に示す構成は、図２に示す構成と同様である。
【００７８】
第１の通信機１２１ａおよび第２の通信機１３１ａのうち第１の通信機１２１ａのみが図２に示す第１の通信機１２１に変更されてもよい。あるいは、第１の通信機１２１ａおよび第２の通信機１３１ａのうち第２の通信機１３１ａのみが図２に示す第２の通信機１３１に変更されてもよい。外部端末２０１において、第３の通信機２２１および第４の通信機２３１の少なくとも１つが、ベースバンド回路を制御するためのプロセッサを有してもよい。
【００７９】
（第２の実施形態）
図２に示す無線通信端末１０１と図３に示す外部端末２０１とを使用して本発明の第２の実施形態を説明する。
【００８０】
第２の通信接続が第２の通信機１３１と第４の通信機２３１との間で確立された状態で第１の通信機１２１の電源がオフになった場合、プロセッサ１１１は、第２の通信機１３１と第４の通信機２３１との間で確立された第２の通信接続を維持する。第１の通信機１２１の電源がオフであるときに第１の通信機１２１の電源をオンにする指示をプロセッサ１１１が受け付けた場合、プロセッサ１１１は、第１の通信機１２１の電源をオンにする。
【００８１】
電源のオンおよびオフに関する処理は図示されていない。例えば、電源のオンまたはオフの指示が、操作部を介してユーザによって入力される。電源のオフの指示が操作部を介して入力された場合、少なくとも第１の通信機１２１の電源がオフになり、かつ少なくとも第２の通信機１３１の電源がオンに維持される。例えば、電源のオフの指示が操作部を介して入力された場合、第２の通信機１３１以外の構成の電源がオフになり、かつ第２の通信機１３１の電源のみがオンに維持される。電源のオフの指示が操作部を介して入力された場合、第１の通信機１２１の電源のみがオフになり、かつ第１の通信機１２１以外の構成の電源がオンに維持されてもよい。
【００８２】
第１の通信機１２１のデータ通信量が所定量以下である場合、または無線通信端末１０１が第１の状態から第２の状態になった場合、プロセッサ１１１は、第１の通信機１２１に第１のモードの動作を停止させる。第２の状態における無線通信端末１０１の消費電力は、第１の状態における無線通信端末１０１の消費電力よりも小さくなるように制御される。第１の条件が満たされ、かつ第２の条件が満たされない場合、プロセッサ１１１は、第１の通信機１２１を第１のモードで動作させた後、指示情報を第２の通信機１３１によって第４の通信機２３１に送信する。
【００８３】
前述したように、第１の条件は、第２の通信プロトコルに基づく第２の通信接続が第２の通信機１３１と第４の通信機２３１との間で確立されているという条件である。前述したように、第２の条件は、第１の通信機１２１が第１のモードで動作しているという条件である。第２の通信接続が確立され、かつ第１の通信機１２１が第１のモードの動作を停止している場合、第１の通信機１２１は第１のモードの動作を開始する。その後、指示情報が送信される。
【００８４】
例えば、アクティブモード（通常モード）が無線通信端末１０１に設定された場合、無線通信端末１０１は第１の状態である。例えば、スリープモード、休止モード、サスペンドモード、省電力モード、および低電力モードのいずれか１つが無線通信端末１０１に設定された場合、無線通信端末１０１は第２の状態である。
【００８５】
無線通信端末１０１の動作を説明する。図７および図８は、無線通信端末１０１の動作を示している。無線通信端末１０１の電源がオフであり、かつ無線通信端末１０１の電源をオンにする指示が受け付けられたとき、図７および図８に示す処理が行われる。図７および図８に示す処理について、図４に示す処理と異なる点を説明する。
【００８６】
（ステップＳ１２１）
ステップＳ１０１において第２の通信接続が確立された後、プロセッサ１１１は、第２の通信接続の状態を第２の通信機１３１に問い合わせる。第２の通信接続の状態は、接続中状態または切断状態である。接続中状態は、接続が維持されている状態である。つまり、接続中状態は、第２の通信機１３１と第４の通信機２３１とがデータ通信を行うことができる状態である。切断状態は、第２の通信機１３１と第４の通信機２３１とが接続されていない状態である。つまり、切断状態は、第２の通信機１３１と第４の通信機２３１とがデータ通信を行うことができない状態である。第２の通信機１３１は、第２の通信接続の状態をプロセッサ１１１に応答する。プロセッサ１１１は、第２の通信機１３１からの応答に基づいて第２の通信接続の状態を判断する。
【００８７】
例えば、無線通信端末１０１と外部端末２０１との距離が大きくなることにより無線通信端末１０１における受信状態が悪くなった場合、第２の通信接続が切断する。あるいは、無線通信端末１０１と外部端末２０１との間に障害物が発生することにより受信状態が悪くなった場合、第２の通信接続が切断する。あるいは、外部端末２０１から切断の処理が行われた場合、第２の通信接続が切断する。あるいは、第２の通信接続の切断の指示または第２の通信機１３１の停止の指示が操作部を介して入力された場合、第２の通信接続が切断する。
【００８８】
第２の通信接続の状態が接続中状態であるとプロセッサ１１１が判断した場合、ステップＳ１２７における処理が行われる。第２の通信接続の状態が切断状態であるとプロセッサ１１１が判断した場合、ステップＳ１２３における処理が行われる。第２の通信接続の状態が切断状態である場合、プロセッサ１１１は、図示しない任意のタイミングで第２の通信接続を確立するように第２の通信機１３１に指示してもよい。あるいは、第２の通信接続が開始されたことを示すメッセージが第２の通信機１３１によって第４の通信機２３１から受信された後、プロセッサ１１１は、接続の受け入れを第２の通信機１３１に指示してもよい。
【００８９】
（ステップＳ１２７）
プロセッサ１１１は、第１の通信機１２１が第１のモードで動作中であるか否かを判断する。例えば、プロセッサ１１１が第１のモードの動作の開始を第１の通信機１２１に１回も指示していない場合、プロセッサ１１１は、第１の通信機１２１が第１のモードで動作していないと判断する。一方、プロセッサ１１１が第１のモードの動作の開始を第１の通信機１２１に１回または複数回指示し、かつその指示が最後に与えられた後、プロセッサ１１１が第１のモードの動作の停止を第１の通信機１２１に指示していない場合、プロセッサ１１１は、以下の判断を行う。プロセッサ１１１が第１のモードの動作の停止通知を第１の通信機１２１から受け取っていない場合、プロセッサ１１１は、第１の通信機１２１が第１のモードで動作中であると判断する。そうでない場合、プロセッサ１１１は、第１の通信機１２１が第１のモードで動作中でないと判断する。例えば、プロセッサ１１１は、第１のモードの動作中であるか否かを第１の通信機１２１に問い合わせてもよい。プロセッサ１１１は、第１の通信機１２１からの応答に基づいて、第１の通信機１２１が第１のモードで動作中であるか否かを判断してもよい。第１の通信機１２１が第１のモードで動作中であるとプロセッサ１１１が判断した場合、ステップＳ１０３における処理が行われる。第１の通信機１２１が第１のモードで動作中でないとプロセッサ１１１が判断した場合、ステップＳ１２８における処理が行われる。
【００９０】
（ステップＳ１２８）
プロセッサ１１１は、第１のモードの動作の開始指示を受け付けたか否かを判断する。例えば、スリープモードが無線通信端末１０１に設定された後、スリープモードの解除および外部端末２０１へのデータの送信が指示された場合、プロセッサ１１１は、第１のモードの動作の開始指示を受け付けたと判断する。スリープモードの解除の指示および外部端末２０１へのデータの送信の指示は、操作部を介してユーザによって入力される。スリープモードの解除が指示された場合、プロセッサ１１１は、無線通信端末１０１に対するスリープモードの設定を解除する。後述するようにデータ通信量の減少によりスリープモードが無線通信端末１０１に設定された後、外部端末２０１へのデータの送信が指示された場合、プロセッサ１１１は、第１のモードの動作の開始指示を受け付けたと判断してもよい。スリープモードが無線通信端末１０１に設定された後、スリープモードの解除または第１の通信プロトコルに従う無線通信の要求を示すメッセージが第２の通信機１３１によって受信された場合、プロセッサ１１１は、第１のモードの動作の開始指示を受け付けたと判断してもよい。このメッセージが受信された場合、プロセッサ１１１は、無線通信端末１０１に対するスリープモードの設定を解除する。第１のモードの動作の開始指示を受け付けたとプロセッサ１１１が判断した場合、ステップＳ１２２における処理が行われる。第１のモードの動作の開始指示を受け付けていないとプロセッサ１１１が判断した場合、ステップＳ１２９における処理が行われる。
【００９１】
（ステップＳ１２９）
プロセッサ１１１は、第１のモードの動作の停止指示により第１の通信機１２１が停止中であるか否かを判断する。この判断は、後述するステップＳ１２６における処理の結果に基づく。ステップＳ１２６における処理により第１のモードの動作が停止された場合、プロセッサ１１１は、第１のモードの動作の停止指示により第１の通信機１２１が停止中であると判断する。無線通信端末１０１の電源がオンになった直後のタイミングではプロセッサ１１１は、第１のモードの動作の停止指示により第１の通信機１２１が停止中でないと判断する。第１のモードの動作の停止指示により第１の通信機１２１が停止中であるとプロセッサ１１１が判断した場合、ステップＳ１２７における処理が行われる。第１のモードの動作の停止指示により第１の通信機１２１が停止中でないとプロセッサ１１１が判断した場合、ステップＳ１２２における処理が行われる。
【００９２】
（ステップＳ１２２）
プロセッサ１１１は、第１の通信機１２１を第１のモードで動作させる。つまり、プロセッサ１１１は、第１のモードの動作の開始を第１の通信機１２１に指示する。第１の通信機１２１は、第１のモードの動作を開始する。第１のモードの動作が開始された後、ステップＳ１０３における処理が行われる。第１のモードの動作が開始された後、第１の通信機１２１が外部端末２０１から第１の通信接続を受け入れることができる状態になったことを示す通知をプロセッサ１１１が第１の通信機１２１から受け取るまでプロセッサ１１１は待機してもよい。プロセッサ１１１が待機した後、ステップＳ１０３における処理が行われてもよい。あるいは、プロセッサ１１１が上記の通知を受け取るまで待機せずに即座にステップＳ１０３における処理が行われてもよい。
【００９３】
ステップＳ１２８において第１のモードの動作の開始指示が受け付けられた場合、第１の通信機１２１は第１のモードの動作を停止している。あるいは、無線通信端末１０１の電源がオンになった直後にステップＳ１２９における処理が行われたとき、第１の通信機１２１は第１のモードの動作を停止している。つまり、第２の条件は満たされない。一方、ステップＳ１２１における判断の結果、第２の通信接続が第２の通信機１３１と第４の通信機２３１との間で既に確立されている。つまり、第１の条件が満たされる。このとき、ステップＳ１２２における処理により、第１の通信機１２１は、第１のモードの動作を開始する。
【００９４】
（ステップＳ１２３）
ステップＳ１０７においてデータ通信が行われた後、プロセッサ１１１は、第１の通信プロトコルによるデータ通信の通信量が閾値以下であるか否かを判断する。閾値は、０以上である。閾値は０であってもよい。例えば、プロセッサ１１１は、データ通信が完了したか否かを判断することにより、データ通信の通信量が０以下であるか否かを判断する。データ通信の通信量が閾値以下になった瞬間にプロセッサ１１１は、データ通信の通信量が閾値以下であると判断してもよい。あるいは、データ通信の通信量が閾値以下である状態が所定時間継続した場合にプロセッサ１１１は、データ通信の通信量が閾値以下であると判断してもよい。第１の通信プロトコルによるデータ通信の通信量が閾値以下であるとプロセッサ１１１が判断した場合、ステップＳ１２５における処理が行われる。第１の通信プロトコルによるデータ通信の通信量が閾値よりも大きいとプロセッサ１１１が判断した場合、ステップＳ１２４における処理が行われる。
【００９５】
（ステップＳ１２４）
プロセッサ１１１は、無線通信端末１０１のモードがスリープモードに移行したか否かを判断する。例えば、スリープモードへの移行の指示が操作部を介してユーザによって入力された場合に無線通信端末１０１のモードはスリープモードに移行する。一定時間、操作部が操作されない場合に無線通信端末１０１のモードがスリープモードに移行してもよい。スリープモードへの移行が行われる時刻が操作部を介してユーザによって設定され、かつその時刻になったときに無線通信端末１０１のモードがスリープモードに移行してもよい。第１の通信機１２１、第２の通信機１３１、または図示しない他の通信機が指示を外部端末２０１から受信した場合に無線通信端末１０１のモードがスリープモードに移行してもよい。スリープモードにおいて、プロセッサ１１１は、無線通信端末１０１の消費電力が、アクティブモード（通常モード）における無線通信端末１０１の消費電力よりも小さくなるように無線通信端末１０１の全体を制御する。無線通信端末１０１のモードがスリープモードに移行したとプロセッサ１１１が判断した場合、ステップＳ１２５における処理が行われる。無線通信端末１０１のモードがスリープモードに移行していないとプロセッサ１１１が判断した場合、ステップＳ１２１における処理が行われる。
【００９６】
（ステップＳ１２５）
プロセッサ１１１は、第１の通信機１２１が第１のモードで動作中であるか否かを判断する。この処理は、ステップＳ１２７における処理と同様である。第１の通信機１２１が第１のモードで動作中であるとプロセッサ１１１が判断した場合、ステップＳ１２６における処理が行われる。第１の通信機１２１が第１のモードで動作中でないとプロセッサ１１１が判断した場合、ステップＳ１２１における処理が行われる。
【００９７】
（ステップＳ１２６）
プロセッサ１１１は、第１の通信機１２１に第１のモードの動作を停止させる。つまり、プロセッサ１１１は、第１のモードの動作の停止を第１の通信機１２１に指示する。第１の通信機１２１は、第１のモードの動作を停止する。第１のモードの動作が停止した後、ステップＳ１２１における処理が行われる。
【００９８】
上記以外の点については、図７および図８に示す処理は、図４に示す処理と同様である。
【００９９】
図７および図８に示す動作において、第１の通信機１２１のデータ通信量が所定量よりも小さい場合（ステップＳ１２３）、または無線通信端末１０１が第１の状態から第２の状態になった場合（ステップＳ１２４）、プロセッサ１１１は、第１の通信機１２１に第１のモードの動作を停止させる（ステップＳ１２６）。第１の条件が満たされ、かつ第２の条件が満たされない場合、プロセッサ１１１は、第１の通信機１２１を第１のモードで動作させる（ステップＳ１２２）。その後、プロセッサ１１１は、指示情報を第２の通信機１３１によって第４の通信機２３１に送信する（ステップＳ１０３）。
【０１００】
図７および図８に示す動作において、ステップＳ１２３およびステップＳ１２４のいずれか１つにおける処理が行われなくてもよい。例えば、ステップＳ１２３において第１の通信プロトコルによるデータ通信の通信量が閾値よりも大きいとプロセッサ１１１が判断した場合、ステップＳ１２４における処理が行われず、かつステップＳ１２１における処理が行われてもよい。あるいは、ステップＳ１０７における処理が行われた後、ステップＳ１２３における処理が行われず、かつステップＳ１２４における処理が行われてもよい。
【０１０１】
図９は、無線通信端末１０１および外部端末２０１の間の通信の手順を示している。図９に示す動作について、図５に示す動作と異なる点を説明する。
【０１０２】
第２の通信機１３１および第４の通信機２３１によって第２の通信接続が確立されるまでの動作は、図５に示す動作と同様である。第２の通信接続が開始された後、第２の通信接続の状態は接続中状態であり（ステップＳ１２１）、かつ第１の通信機１２１は第１のモードで動作していない（ステップＳ１２７）。さらに、第１のモードの動作の開始指示は受け付けられてなく（ステップＳ１２８）、かつステップＳ１２６における処理により第１のモードの動作は停止されていない（ステップＳ１２９）。このため、プロセッサ１１１は、第１のモードの動作の開始を第１の通信機１２１に指示する（ステップＳ１２２）。第１の通信機１２１は、第１のモードの動作を開始する（ステップＳ１２２）。
【０１０３】
第１の通信機１２１によって第１のモードの動作が開始された後、データ通信が開始されるまでの動作は、図５に示す動作と同様である。データ通信が行われた後、プロセッサ１１１は、閾値以下のデータ通信量を検出する（ステップＳ１２３）。図９に示す動作において、プロセッサ１１１は、第１の通信機１２１のデータ通信量を監視することにより、閾値以下のデータ通信量を検出する。第１の通信機１２１がデータ通信量を監視してもよい。第１の通信機１２１は、閾値以下のデータ通信量が検出されたとき、プロセッサ１１１に通知を出してもよい。
【０１０４】
閾値以下のデータ通信量が検出されたとき、第１の通信機１２１は第１のモードで動作している（ステップＳ１２５）。このため、プロセッサ１１１は、第１のモードの動作の停止を第１の通信機１２１に指示する（ステップＳ１２６）。第１の通信機１２１は、第１のモードの動作を停止する（ステップＳ１２６）。
【０１０５】
上記以外の点については、図９に示す動作は、図５に示す動作と同様である。
【０１０６】
図６に示す無線通信端末１０１ａが、第２の実施形態の無線通信端末１０１と同様に動作してもよい。
【０１０７】
上記のように、第１の通信機１２１が第１のモードの動作を停止している場合であっても、プロセッサ１１１が第１の通信機１２１に第１のモードの動作を開始させた後、指示情報が送信される。このため、無線通信端末１０１は、無線通信端末１０１からのトリガにより第１の通信プロトコルに従って外部端末２０１と無線接続することができる。
【０１０８】
（第３の実施形態）
図１０は、本発明の第３の実施形態の無線通信端末１０１ｂのハードウェア構成を示している。図１０に示す構成について、図２に示す構成と異なる点を説明する。
【０１０９】
無線通信端末１０１ｂは、図２に示す無線通信端末１０１が有する構成に加えて、イメージセンサ１４１（撮像素子）を有する。イメージセンサ１４１は、撮像を行うことにより、撮像信号を生成する。イメージセンサ１４１によって生成された撮像信号は、図２に示していないＡ／Ｄ変換器によって画像データに変換される。イメージセンサ１４１がＡ／Ｄ変換器を有し、かつイメージセンサ１４１が画像データを生成してもよい。
【０１１０】
無線通信端末１０１ｂは、第３のモード（撮像転送モード）で動作することができる。第３のモードは、イメージセンサ１４１が撮像を行うことにより生成された画像データを外部端末２０１に送信するモードである。プロセッサ１１１は、第３のモードが無線通信端末１０１ｂに設定されたか否かを判断する。第１の条件、第２の条件、および第３の条件が満たされるとき、プロセッサ１１１は、指示情報を第２の通信機１３１によって第４の通信機２３１に送信する。第３の条件は、第３のモードが無線通信端末１０１ｂに設定されたとプロセッサ１１１が判断するという条件である。
【０１１１】
前述したように、第１の条件は、第２の通信プロトコルに基づく第２の通信接続が第２の通信機１３１と第４の通信機２３１との間で確立されているという条件である。前述したように、第２の条件は、第１の通信機１２１が第１のモードで動作しているという条件である。第２の通信接続が確立され、かつ第１の通信機１２１が第１のモードの動作を行い、かつ第３のモードが無線通信端末１０１ｂに設定された場合、指示情報が送信される。
【０１１２】
第３のモードが無線通信端末１０１ｂに設定された後のデータ通信において、プロセッサ１１１は、画像データを第１の通信機１２１によって第３の通信機２２１に送信する。第３の通信機２２１は、画像データを第１の通信機１２１から受信する。
【０１１３】
プロセッサ１１１は、第１の通信機１２１と第３の通信機２２１との間の第１の通信接続の状態を判断する。第１の通信接続の状態は、接続状態と切断状態とのいずれか１つである。第１の条件、第２の条件、第３の条件、および第４の条件が満たされるとき、プロセッサ１１１は、指示情報を第２の通信機１３１によって第４の通信機２３１に送信する。第４の条件は、第１の通信接続の状態が切断状態であるという条件である。指示情報が送信されるタイミングは、第３のモードが無線通信端末１０１ｂに設定されたとプロセッサ１１１が判断したタイミング、またはイメージセンサ１４１が撮像を行うタイミングである。
【０１１４】
第２の通信接続が確立され、かつ第１の通信機１２１が第１のモードの動作を行い、かつ第３のモードが無線通信端末１０１ｂに設定され、かつ第１の通信接続の状態が切断状態である場合、指示情報が送信される。例えば、指示情報が送信されるタイミングは、第３のモードが無線通信端末１０１ｂに既に設定されているとプロセッサ１１１が判断したタイミングである。指示情報が送信されるタイミングは、第３のモードの設定指示が受け付けられたタイミングであってもよい。指示情報が送信されるタイミングは、イメージセンサ１４１が撮像を行ったとプロセッサ１１１が判断したタイミングであってもよい。上記以外の点については、図１０に示す構成は、図２に示す構成と同様である。
【０１１５】
無線通信端末１０１ｂの動作を説明する。図１１および図１２は、無線通信端末１０１ｂの動作を示している。図１１および図１２に示す処理について、図４に示す処理と異なる点を説明する。
【０１１６】
（ステップＳ１２１）
ステップＳ１０２において第１の通信機１２１が第１のモードの動作を開始した後、プロセッサ１１１は、第２の通信接続の状態を判断する。この処理は、図７に示すステップＳ１２１における処理と同様である。第２の通信接続の状態が接続中状態であるとプロセッサ１１１が判断した場合、ステップＳ１４４における処理が行われる。第２の通信接続の状態が切断状態であるとプロセッサ１１１が判断した場合、第２の通信接続の状態が接続中状態に移行するまで、ステップＳ１２１における処理が繰り返される。
【０１１７】
（ステップＳ１４４）
プロセッサ１１１は、イメージセンサ１４１によって撮像が行われたか否かを判断する。例えば、イメージセンサ１４１が撮像を行った場合、イメージセンサ１４１は撮像の実行をプロセッサ１１１に通知する。撮像の実行がイメージセンサ１４１によってプロセッサ１１１に通知された場合、プロセッサ１１１は、イメージセンサ１４１によって撮像が行われたと判断する。それ以外の場合、プロセッサ１１１は、イメージセンサ１４１によって撮像が行われていないと判断する。イメージセンサ１４１によって撮像が行われたとプロセッサ１１１が判断した場合、ステップＳ１４５における処理が行われる。イメージセンサ１４１によって撮像が行われていないとプロセッサ１１１が判断した場合、ステップＳ１４６における処理が行われる。
【０１１８】
（ステップＳ１４５）
プロセッサ１１１は、第３のモードが無線通信端末１０１ｂに設定されているか否かを判断する。つまり、プロセッサ１１１は、無線通信端末１０１ｂが第３のモードで動作中であるか否かを判断する。第３のモードが無線通信端末１０１ｂに設定されているとプロセッサ１１１が判断した場合、ステップＳ１４７における処理が行われる。この場合、第３の条件が満たされる。第３のモードが無線通信端末１０１ｂに設定されていないとプロセッサ１１１が判断した場合、ステップＳ１４６における処理が行われる。
【０１１９】
（ステップＳ１４６）
プロセッサ１１１は、第３のモードの設定指示が受け付けられたか否かを判断する。例えば、第３のモードの設定指示は、操作部を介してユーザによって入力される。例えば、ＧＵＩ上でキーまたはボタンが操作されることにより第３のモードの設定指示が入力される。タッチパネルが操作されることにより第３のモードの設定指示が入力されてもよい。第３のモードの専用ボタンまたはモードダイヤルが操作されることにより第３のモードの設定指示が入力されてもよい。第１の通信機１２１、第２の通信機１３１、または図示しない他の通信機が指示を外部端末２０１から受信した場合に第３のモードの設定指示が受け付けられてもよい。第３のモードの設定指示が受け付けられたとプロセッサ１１１が判断した場合、ステップＳ１４７における処理が行われる。第３のモードの設定指示が受け付けられることにより、プロセッサ１１１は無線通信端末１０１ｂに第３のモードを設定する。第３のモードの設定指示が受け付けられていないとプロセッサ１１１が判断した場合、ステップＳ１２１における処理が行われる。
【０１２０】
（ステップＳ１４７）
プロセッサ１１１は、第１の通信接続の状態を第１の通信機１２１に問い合わせる。第１の通信機１２１は、第１の通信接続の状態をプロセッサ１１１に応答する。プロセッサ１１１は、第１の通信機１２１からの応答に基づいて第１の通信接続の状態を判断する。第１の通信接続の状態が切断状態であるとプロセッサ１１１が判断した場合、ステップＳ１０３における処理が行われる。この場合、第４の条件が満たされる。第１の通信接続の状態が切断状態でないとプロセッサ１１１が判断した場合、ステップＳ１４８における処理が行われる。
【０１２１】
（ステップＳ１４８）
ステップＳ１０６において接続要求応答が送信された後、プロセッサ１１１は、外部端末２０１に送信できる画像データが存在するか否かを判断する。例えば、プロセッサ１１１は、イメージセンサ１４１が撮像を行うことにより生成された画像データが、図１０に示していないバッファに格納されているか否かを判断する。外部端末２０１に送信できる画像データが存在するとプロセッサ１１１が判断した場合、ステップＳ１０７における処理が行われる。外部端末２０１に送信できる画像データが存在しないとプロセッサ１１１が判断した場合、ステップＳ１２１における処理が行われる。
【０１２２】
ステップＳ１０７において、プロセッサ１１１は、画像データを第１の通信機１２１によって第３の通信機２２１に送信する。つまり、プロセッサ１１１は、データ通信を第１の通信機１２１に指示する。第１の通信機１２１は、画像データを第３の通信機２２１に送信する。
【０１２３】
上記以外の点については、図１１および図１２に示す処理は、図４に示す処理と同様である。
【０１２４】
図１１および図１２に示す動作において、プロセッサ１１１は、第３のモードが無線通信端末１０１ｂに設定されたか否かを判断する（ステップＳ１４５およびステップＳ１４６）。第１の条件、第２の条件、および第３の条件が満たされるとき、プロセッサ１１１は、指示情報を第２の通信機１３１によって第４の通信機２３１に送信する（ステップＳ１０３）。
【０１２５】
図１１および図１２に示す動作において、プロセッサ１１１は、第１の通信機１２１と第３の通信機２２１との間の第１の通信接続の状態を判断する（ステップＳ１４７）。第１の条件、第２の条件、第３の条件、および第４の条件が満たされるとき、プロセッサ１１１は、指示情報を第２の通信機１３１によって第４の通信機２３１に送信する（ステップＳ１０３）。第３のモードが無線通信端末１０１ｂに設定されたとプロセッサ１１１が判断したタイミング（ステップＳ１４５およびステップＳ１４６）、またはイメージセンサ１４１が撮像を行うタイミング（ステップＳ１４４）で指示情報が送信される。
【０１２６】
図１３および図１４は、無線通信端末１０１ｂおよび外部端末２０１の間の通信の手順を示している。図１３に示す通信が行われた後、図１４に示す通信が行われる。図１３および図１４に示す動作について、図５に示す動作と異なる点を説明する。
【０１２７】
第２の通信機１３１および第４の通信機２３１によって第２の通信接続が確立されるまでの動作は、図５に示す動作と同様である。第２の通信接続が開始された後、第２の通信接続の状態は接続中状態であり（ステップＳ１２１）、かつイメージセンサ１４１によって撮像は行われていない（ステップＳ１４４）。その後、第３のモードが無線通信端末１０１ｂに設定される（ステップＳ１４６）。第１の通信接続の状態は切断状態である（ステップＳ１４７）。このため、プロセッサ１１１は、指示情報の送信を第２の通信機１３１に指示する（ステップＳ１０３）。第２の通信機１３１は、指示情報を第４の通信機２３１に送信する（ステップＳ１０３）。
【０１２８】
指示情報が送信された後、接続要求応答が送信されるまでの動作は、図５に示す動作と同様である。イメージセンサ１４１によって撮像が行われていないため、外部端末２０１に送信できる画像データは存在しない（ステップＳ１４８）。このため、データ通信は行われない。第２の通信接続の状態は接続中状態である（ステップＳ１２１）。接続要求応答が送信された後、イメージセンサ１４１は１回目の撮像を行う。イメージセンサ１４１は、撮像の実行をプロセッサ１１１に通知する（ステップＳ１４４）。このとき、第３のモードが無線通信端末１０１ｂに既に設定されている（ステップＳ１４５）。
【０１２９】
プロセッサ１１１は、第１の通信接続の状態を第１の通信機１２１に問い合わせることにより、第１の通信接続の状態を確認する（ステップＳ１４７）。第１の通信機１２１は、第１の通信接続の状態が接続中状態であることをプロセッサ１１１に応答する（ステップＳ１４７）。イメージセンサ１４１による１回目の撮像によって、外部端末２０１に送信できる画像データは存在する（ステップＳ１４８）。このため、プロセッサ１１１は、データ通信を第１の通信機１２１に指示する（ステップＳ１０７）。第１の通信機１２１は、第３の通信機２２１とデータ通信を行う（ステップＳ１０７）。
【０１３０】
その後、何らかの理由により、第１の通信接続において切断が発生する。例えば、電波状態が悪化することにより、切断が発生する。あるいは、外部端末２０１において一定時間が経過することにより外部端末２０１が省電力状態となった場合、切断が発生する。第２の通信接続の状態は接続中状態である（ステップＳ１２１）。切断が発生した後、イメージセンサ１４１は２回目の撮像を行う。イメージセンサ１４１は、撮像の実行をプロセッサ１１１に通知する（ステップＳ１４４）。このとき、第３のモードが無線通信端末１０１ｂに既に設定されている（ステップＳ１４５）。
【０１３１】
プロセッサ１１１は、第１の通信接続の状態を第１の通信機１２１に問い合わせることにより、第１の通信接続の状態を確認する（ステップＳ１４７）。第１の通信機１２１は、第１の通信接続の状態が切断状態であることをプロセッサ１１１に応答する（ステップＳ１４７）。第１の通信接続の状態が切断状態であるため、プロセッサ１１１は、指示情報の送信を第２の通信機１３１に指示する（ステップＳ１０３）。第２の通信機１３１は、指示情報を第４の通信機２３１に送信する（ステップＳ１０３）。
【０１３２】
指示情報が送信された後、接続要求応答が送信されるまでの動作は、図５に示す動作と同様である。イメージセンサ１４１による２回目の撮像によって、外部端末２０１に送信できる画像データは存在する（ステップＳ１４８）。このため、プロセッサ１１１は、データ通信を第１の通信機１２１に指示する（ステップＳ１０７）。第１の通信機１２１は、第３の通信機２２１とデータ通信を行う（ステップＳ１０７）。
【０１３３】
上記以外の点については、図１３および図１４に示す動作は、図５に示す動作と同様である。
【０１３４】
上記のように、第１の通信機１２１が第１のモードで動作している場合、第３のモードが無線通信端末１０１ｂに既に設定されているとプロセッサ１１１が判断したタイミングで、指示情報が送信される。あるいは、第１の通信機１２１が第１のモードで動作している場合、第３のモードの設定指示が受け付けられたタイミングで指示情報が送信される。あるいは、第１の通信機１２１が第１のモードで動作している場合、イメージセンサ１４１が撮像を行うタイミングで指示情報が送信される。このため、無線通信端末１０１ｂは、第３のモードの設定に関するタイミングまたは撮像が行われるタイミングで第１の通信接続を確立することができる。また、無線通信端末１０１ｂは、イメージセンサ１４１によって撮像が行われたとき、画像データを外部端末２０１に即座に転送することができる。
【０１３５】
第３のモードの設定に関するタイミングで第１の通信接続が確立された後、何らかの理由により第１の通信接続の状態が切断状態になりうる。しかし、第３のモードの動作が継続している場合、イメージセンサ１４１によって撮像が行われることにより、第１の通信接続が確立される。さらに、無線通信端末１０１ｂは、画像データを外部端末２０１に即座に転送することができる。したがって、無線通信端末１０１ｂにおいて撮像が行われたとき、無線通信端末１０１ｂは第１の通信プロトコルに従って外部端末２０１と無線接続することができる。
【０１３６】
（第３の実施形態の変形例）
図１５は、本発明の第３の実施形態の変形例の無線通信端末１０１ｃのハードウェア構成を示している。図１５に示す構成について、図１０に示す構成と異なる点を説明する。
【０１３７】
無線通信端末１０１ｃにおいて、図１０に示す無線通信端末１０１ｂにおける第１の通信機１２１が第１の通信機１２１ａに変更され、かつ図１０に示す無線通信端末１０１ｂにおける第２の通信機１３１が第２の通信機１３１ａに変更される。第１の通信機１２１ａは、図６に示す無線通信端末１０１ａにおける第１の通信機１２１ａと同一である。第２の通信機１３１ａは、図６に示す無線通信端末１０１ａにおける第２の通信機１３１ａと同一である。上記以外の点については、図１５に示す構成は、図１０に示す構成と同様である。
【０１３８】
第１の通信機１２１ａおよび第２の通信機１３１ａのうち第１の通信機１２１ａのみが図１０に示す第１の通信機１２１に変更されてもよい。あるいは、第１の通信機１２１ａおよび第２の通信機１３１ａのうち第２の通信機１３１ａのみが図１０に示す第２の通信機１３１に変更されてもよい。
【０１３９】
（第４の実施形態）
図１０に示す無線通信端末１０１ｂと図３に示す外部端末２０１とを使用して本発明の第４の実施形態を説明する。
【０１４０】
第１の通信機１２１のデータ通信量が所定量以下である場合、または無線通信端末１０１ｂが第１の状態から第２の状態になった場合、プロセッサ１１１は、第１の通信機１２１に第１のモードの動作を停止させる。第２の状態における無線通信端末１０１ｂの消費電力は、第１の状態における無線通信端末１０１ｂの消費電力よりも小さくなるように制御される。第１の条件および第３の条件が満たされ、かつ第２の条件が満たされない場合、プロセッサ１１１は、第１の通信機１２１を第１のモードで動作させた後、指示情報を第２の通信機１３１によって第４の通信機２３１に送信する。指示情報が送信されるタイミングは、第３のモードが無線通信端末１０１ｂに設定されたとプロセッサ１１１が判断したタイミング、またはイメージセンサ１４１が撮像を行うタイミングである。前述したように、第１の条件は、第２の通信プロトコルに基づく第２の通信接続が第２の通信機１３１と第４の通信機２３１との間で確立されているという条件である。前述したように、第２の条件は、第１の通信機１２１が第１のモードで動作しているという条件である。前述したように、第３の条件は、第３のモードが無線通信端末１０１ｂに設定されたとプロセッサ１１１が判断するという条件である。
【０１４１】
第２の通信接続が確立され、かつ第１の通信機１２１が第１のモードの動作を停止し、かつ第３のモードが無線通信端末１０１ｂに設定された場合、第１の通信機１２１は第１のモードの動作を開始する。その後、指示情報が送信される。
【０１４２】
無線通信端末１０１ｂの動作を説明する。図１６および図１７は、無線通信端末１０１ｂの動作を示している。第３の実施形態における図１１に示す処理が、図１６および図１７に示す処理に変更される。第３の実施形態における図１２に示す処理は、第４の実施形態においても同様である。図１６および図１７に示す処理について、図１１に示す処理と異なる点を説明する。
【０１４３】
ステップＳ１０１における処理が行われた後、ステップＳ１０２における処理は行われず、かつステップＳ１２１における処理が行われる。ステップＳ１２１において、第２の通信接続の状態が切断状態であるとプロセッサ１１１が判断した場合、ステップＳ１２３における処理が行われる。ステップＳ１２３からステップＳ１２６における処理は、図８に示すステップＳ１２３からステップＳ１２６における処理と同一である。
【０１４４】
ステップＳ１２７における処理は、図７に示すステップＳ１２７における処理と同一である。ステップＳ１２７において、第１の通信機１２１が第１のモードで動作中であるとプロセッサ１１１が判断した場合、ステップＳ１４４における処理が行われる。ステップＳ１２７において、第１の通信機１２１が第１のモードで動作中でないとプロセッサ１１１が判断した場合、ステップＳ１５１における処理が行われる。
【０１４５】
ステップＳ１４４において、イメージセンサ１４１によって撮像が行われていないとプロセッサ１１１が判断した場合、ステップＳ１４６における処理は行われず、かつステップＳ１２３における処理が行われる。ステップＳ１４５において、第３のモードが無線通信端末１０１ｂに設定されていないとプロセッサ１１１が判断した場合も、ステップＳ１４６における処理は行われず、かつステップＳ１２３における処理が行われる。
【０１４６】
（ステップＳ１５１）
プロセッサ１１１は、イメージセンサ１４１によって撮像が行われたか否かを判断する。この処理は、ステップＳ１４４における処理と同様である。イメージセンサ１４１によって撮像が行われたとプロセッサ１１１が判断した場合、ステップＳ１５２における処理が行われる。スリープモードが無線通信端末１０１ｂに設定されている状態でこの判断が行われた場合、プロセッサ１１１は、無線通信端末１０１ｂに対するスリープモードの設定を解除する。イメージセンサ１４１によって撮像が行われていないとプロセッサ１１１が判断した場合、ステップＳ１５３における処理が行われる。
【０１４７】
（ステップＳ１５２）
プロセッサ１１１は、第３のモードが無線通信端末１０１ｂに設定されているか否かを判断する。つまり、プロセッサ１１１は、無線通信端末１０１ｂが第３のモードで動作中であるか否かを判断する。この処理は、ステップＳ１４５における処理と同様である。第３のモードが無線通信端末１０１ｂに設定されているとプロセッサ１１１が判断した場合、ステップＳ１２２における処理が行われる。第３のモードが無線通信端末１０１ｂに設定されていないとプロセッサ１１１が判断した場合、ステップＳ１５３における処理が行われる。
【０１４８】
（ステップＳ１５３）
プロセッサ１１１は、第３のモードの設定指示が受け付けられたか否かを判断する。この処理は、ステップＳ１４６における処理と同様である。第３のモードの設定指示が受け付けられたとプロセッサ１１１が判断した場合、ステップＳ１２２における処理が行われる。第３のモードの設定指示が受け付けられることにより、プロセッサ１１１は無線通信端末１０１ｂに第３のモードを設定する。スリープモードが無線通信端末１０１ｂに設定されている状態でこの判断が行われた場合、プロセッサ１１１は、無線通信端末１０１ｂに対するスリープモードの設定を解除する。第３のモードの設定指示が受け付けられていないとプロセッサ１１１が判断した場合、ステップＳ１２８における処理が行われる。
【０１４９】
ステップＳ１２８およびステップＳ１２９における処理は、図７に示すステップＳ１２８およびステップＳ１２９における処理と同一である。
【０１５０】
上記以外の点については、図１６および図１７に示す処理は、図１１および図１２に示す処理と同様である。
【０１５１】
図１６および図１７に示す動作において、第１の通信機１２１のデータ通信量が所定量以下である場合（ステップＳ１２３）、または無線通信端末１０１ｂが第１の状態から第２の状態になった場合（ステップＳ１２４）、プロセッサ１１１は、第１の通信機１２１に第１のモードの動作を停止させる（ステップＳ１２６）。第１の条件および第３の条件が満たされ、かつ第２の条件が満たされない場合、プロセッサ１１１は、第１の通信機１２１を第１のモードで動作させる（ステップＳ１２２）。その後、プロセッサ１１１は、指示情報を第２の通信機１３１によって第４の通信機２３１に送信する（ステップＳ１０３）。第３のモードが無線通信端末１０１ｂに設定されたとプロセッサ１１１が判断したタイミング（ステップＳ１５２およびステップＳ１５３）、またはイメージセンサ１４１が撮像を行うタイミング（ステップＳ１５１）で指示情報が送信される。
【０１５２】
図１８から図２０は、無線通信端末１０１ｂおよび外部端末２０１の間の通信の手順を示している。図１８に示す通信が行われた後、図１９に示す通信が行われる。図１９に示す通信が行われた後、図２０に示す通信が行われる。図１８から図２０に示す動作について、図１３および図１４に示す動作と異なる点を説明する。
【０１５３】
第２の通信機１３１および第４の通信機２３１によって第２の通信接続が確立されるまでの動作は、図１３および図１４に示す動作と同様である。第２の通信接続が開始された後、第２の通信接続の状態は接続中状態であり（ステップＳ１２１）、かつ第１の通信機１２１は第１のモードで動作していない（ステップＳ１２７）。イメージセンサ１４１によって撮像は行われていない（ステップＳ１５１）。その後、第３のモードが無線通信端末１０１ｂに設定される（ステップＳ１５３）。このため、プロセッサ１１１は、第１のモードの動作の開始を第１の通信機１２１に指示する（ステップＳ１２２）。第１の通信機１２１は、第１のモードの動作を開始する（ステップＳ１２２）。第１の通信機１２１が第１のモードの動作を開始した後、プロセッサ１１１は、指示情報の送信を第２の通信機１３１に指示する（ステップＳ１０３）。第２の通信機１３１は、指示情報を第４の通信機２３１に送信する（ステップＳ１０３）。
【０１５４】
指示情報が送信された後、接続要求応答が送信されるまでの動作は、図１３に示す動作と同様である。イメージセンサ１４１によって撮像が行われていないため、外部端末２０１に送信できる画像データは存在しない（ステップＳ１４８）。このため、データ通信は行われない。第２の通信接続の状態は接続中状態であり（ステップＳ１２１）、かつ第１の通信機１２１は第１のモードで動作している（ステップＳ１２７）。接続要求応答が送信された後、イメージセンサ１４１は１回目の撮像を行う。イメージセンサ１４１は、撮像の実行をプロセッサ１１１に通知する（ステップＳ１４４）。このとき、第３のモードが無線通信端末１０１ｂに既に設定されている（ステップＳ１４５）。
【０１５５】
イメージセンサ１４１による１回目の撮像によって、外部端末２０１に送信できる画像データは存在する（ステップＳ１４８）。このため、プロセッサ１１１は、データ通信を第１の通信機１２１に指示する（ステップＳ１０７）。第１の通信機１２１は、第３の通信機２２１とデータ通信を行う（ステップＳ１０７）。
【０１５６】
データ通信が行われた後、第２の通信接続の状態は接続中状態であり（ステップＳ１２１）、かつ第１の通信機１２１は第１のモードで動作している（ステップＳ１２７）。イメージセンサ１４１による１回目の撮像が行われた後、イメージセンサ１４１によって撮像は行われていない（ステップＳ１４４）。その後、プロセッサ１１１は、閾値以下のデータ通信量を検出する（ステップＳ１２３）。図１９に示す動作において、プロセッサ１１１は、第１の通信機１２１のデータ通信量を監視することにより、閾値以下のデータ通信量を検出する。第１の通信機１２１がデータ通信量を監視してもよい。第１の通信機１２１は、閾値以下のデータ通信量が検出されたとき、プロセッサ１１１に通知を出してもよい。
【０１５７】
閾値以下のデータ通信量が検出されたとき、第１の通信機１２１は第１のモードで動作している（ステップＳ１２５）。このため、プロセッサ１１１は、第１のモードの動作の停止を第１の通信機１２１に指示する（ステップＳ１２６）。第１の通信機１２１は、第１のモードの動作を停止する（ステップＳ１２６）。
【０１５８】
第２の通信接続の状態は接続中状態であり（ステップＳ１２１）、かつ第１の通信機１２１は第１のモードで動作していない（ステップＳ１２７）。第１の通信機１２１が第１のモードの動作を停止した後、イメージセンサ１４１は２回目の撮像を行う。イメージセンサ１４１は、撮像の実行をプロセッサ１１１に通知する（ステップＳ１５１）。このとき、第３のモードが無線通信端末１０１ｂに既に設定されている（ステップＳ１５２）。このため、プロセッサ１１１は、第１のモードの動作の開始を第１の通信機１２１に指示する（ステップＳ１２２）。第１の通信機１２１は、第１のモードの動作を開始する（ステップＳ１２２）。第１の通信機１２１が第１のモードの動作を開始した後、プロセッサ１１１は、指示情報の送信を第２の通信機１３１に指示する（ステップＳ１０３）。第２の通信機１３１は、指示情報を第４の通信機２３１に送信する（ステップＳ１０３）。指示情報が送信された後の動作は、図１４に示す動作と同様である。
【０１５９】
上記以外の点については、図１８から図２０に示す動作は、図１３および図１４に示す動作と同様である。
【０１６０】
図１５に示す無線通信端末１０１ｃが、第４の実施形態の無線通信端末１０１ｂが行う処理と同様の処理を行ってもよい。
【０１６１】
上記のように、第１の通信機１２１が第１のモードで動作していない場合、第３のモードが無線通信端末１０１ｂに既に設定されているとプロセッサ１１１が判断したタイミングで、第１の通信機１２１が第１のモードの動作を開始し、かつ指示情報が送信される。あるいは、第１の通信機１２１が第１のモードで動作している場合、第３のモードの設定指示が受け付けられたタイミングで、第１の通信機１２１が第１のモードの動作を開始し、かつ指示情報が送信される。あるいは、第１の通信機１２１が第１のモードで動作している場合、イメージセンサ１４１が撮像を行うタイミングで、第１の通信機１２１が第１のモードの動作を開始し、かつ指示情報が送信される。このため、無線通信端末１０１ｂは、第３のモードの設定に関するタイミングまたは撮像が行われるタイミングで第１の通信接続を確立することができる。また、無線通信端末１０１ｂは、イメージセンサ１４１によって撮像が行われたとき、画像データを外部端末２０１に即座に転送することができる。
【０１６２】
第３のモードの設定に関するタイミングで第１の通信接続が確立された後、データ通信量の減少またはスリープモードの開始により第１の通信機１２１が第１のモードの動作を停止しうる。しかし、第３のモードの動作が継続している場合、イメージセンサ１４１によって撮像が行われることにより、第１の通信機１２１が第１のモードの動作を開始し、かつ第１の通信接続が確立される。さらに、無線通信端末１０１ｂは、画像データを外部端末２０１に即座に転送することができる。したがって、無線通信端末１０１ｂにおいて撮像が行われたとき、無線通信端末１０１ｂは第１の通信プロトコルに従って外部端末２０１と無線接続することができる。
【０１６３】
（第５の実施形態）
図２に示す無線通信端末１０１と図３に示す外部端末２０１とを使用して本発明の第５の実施形態を説明する。
【０１６４】
プロセッサ１１１は、第１の指示または第２の指示が受け付けられたか否かを判断する。第１の指示は、外部端末２０１が保持するセンサデータを取得する指示である。第２の指示は、通信不可能状態である第１の通信機１２１を通信可能状態にする指示である。第１の条件、第２の条件、および第５の条件が満たされるとき、プロセッサ１１１は、指示情報を第２の通信機１３１によって第４の通信機２３１に送信する。第５の条件は、第１の指示または第２の指示が受け付けられたとプロセッサ１１１が判断するという条件である。
【０１６５】
例えば、外部端末２０１は、ＧＰＳ（Ｇｌｏｂａｌ  Ｐｏｓｉｔｉｏｎｉｎｇ  Ｓｙｓｔｅｍ）センサ、圧力センサ、および温度センサの少なくとも１つを有する。ＧＰＳセンサは、センサデータとして位置データを生成する。圧力センサは、センサデータとして圧力データを生成する。温度センサは、センサデータとして温度データを生成する。外部端末２０１が有するセンサは、これら以外のセンサであってもよい。
【０１６６】
無線通信端末１０１の動作を説明する。図２１は、無線通信端末１０１の動作を示している。図２１に示す処理について、図４に示す処理と異なる点を説明する。
【０１６７】
（ステップＳ１６１）
ステップＳ１０２において第１の通信機１２１が第１のモードの動作を開始した後、プロセッサ１１１は、センサデータの取得指示（第１の指示）または第１の通信機１２１を通信可能状態にする指示（第２の指示）が受け付けられたか否かを判断する。例えば、第１の指示および第２の指示は、操作部を介してユーザによって入力される。第２の通信機１３１、または図示しない他の通信機が第２の指示を外部端末２０１から受信してもよい。第１の指示および第２の指示のいずれも受け付けられていないとプロセッサ１１１が判断した場合、ステップＳ１６１における処理が継続する。第１の指示および第２の指示のいずれか１つが受け付けられたとプロセッサ１１１が判断した場合、ステップＳ１０３における処理が行われる。この場合、第５の条件が満たされる。
【０１６８】
無線通信端末１０１の電源がオンになった直後のタイミングでは第１の通信接続が確立されていないため、第１の通信機１２１は通信不可能状態である。前述したように、第１の通信接続が確立されることにより、無線通信端末１０１は、通信不可能状態からデータ通信可能状態に遷移する。
【０１６９】
上記以外の点については、図２１に示す処理は、図４に示す処理と同様である。
【０１７０】
図２２は、無線通信端末１０１および外部端末２０１の間の通信の手順を示している。図２２に示す動作について、図５に示す動作と異なる点を説明する。
【０１７１】
第１の通信機１２１が第１のモードの動作を開始するまでの動作は、図５に示す動作と同様である。第１の通信機１２１が第１のモードの動作を開始した後、プロセッサ１１１は、センサデータの取得指示が受け付けられたと判断する（ステップＳ１６１）。このため、プロセッサ１１１は、第１の通信接続の状態を第１の通信機１２１に問い合わせることにより、第１の通信接続の状態を確認する（ステップＳ１０３）。第１の通信機１２１は、第１の通信接続の状態が切断状態であることをプロセッサ１１１に応答する（ステップＳ１０３）。第１の通信接続の状態が切断状態であるため、プロセッサ１１１は、指示情報の送信を第２の通信機１３１に指示する（ステップＳ１０３）。第２の通信機１３１は、指示情報を第４の通信機２３１に送信する（ステップＳ１０３）。
【０１７２】
指示情報が送信された後の動作は、図５に示す動作と同様である。上記以外の点については、図２２に示す動作は、図５に示す動作と同様である。
【０１７３】
図１０に示す無線通信端末１０１ａが、第５の実施形態の無線通信端末１０１が行う処理と同様の処理を行ってもよい。
【０１７４】
上記のように、第１の指示または第２の指示が受け付けられたタイミングで指示情報が送信される。このため、第１の指示または第２の指示が受け付けられたタイミングで、無線通信端末１０１は第１の通信プロトコルに従って外部端末２０１と無線接続することができる。
【０１７５】
上記の第１の指示および第２の指示以外の指示が受け付けられたタイミングで指示情報が送信されてもよい。例えば、第１の通信機１２１が第１のモードの動作を停止し、かつ第２の通信機１３１または図示しない他の通信機が、第１の通信機１２１に第１のモードの動作を開始させる指示を外部端末２０１から受信した場合に指示情報が送信されてもよい。
【０１７６】
以上、本発明の好ましい実施形態を説明したが、本発明はこれら実施形態およびその変形例に限定されることはない。本発明の趣旨を逸脱しない範囲で、構成の付加、省略、置換、およびその他の変更が可能である。また、本発明は前述した説明によって限定されることはなく、添付のクレームの範囲によってのみ限定される。
【産業上の利用可能性】
【０１７７】
本発明の各実施形態によれば、第１のモードで動作できる無線通信端末が、第２のモードで動作する外部端末と無線通信端末からのトリガにより無線接続することができる。
【符号の説明】
【０１７８】
１１  無線通信システム
１０１，１０１ａ，１０１ｂ，１０１ｃ  無線通信端末
１１１，１２５，１３５，２１１  プロセッサ
１２１，１２１ａ  第１の通信機
１２２，１３２，２２２，２３２  ベースバンド回路
１２３，１３３，２２３，２３３  ＲＦ回路
１２４，１３４，２２４，２３４  アンテナ
１３１，１３１ａ  第２の通信機
１４１  イメージセンサ
２０１  外部端末
２２１  第３の通信機
２３１  第４の通信機
【図１】
2017183116.tif 000003
【図２】
2017183116.tif 000004
【図３】
2017183116.tif 000005
【図４】
2017183116.tif 000006
【図５】
2017183116.tif 000007
【図６】
2017183116.tif 000008
【図７】
2017183116.tif 000009
【図８】
2017183116.tif 000010
【図９】
2017183116.tif 000011
【図１０】
2017183116.tif 000012
【図１１】
2017183116.tif 000013
【図１２】
2017183116.tif 000014
【図１３】
2017183116.tif 000015
【図１４】
2017183116.tif 000016
【図１５】
2017183116.tif 000017
【図１６】
2017183116.tif 000018
【図１７】
2017183116.tif 000019
【図１８】
2017183116.tif 000020
【図１９】
2017183116.tif 000021
【図２０】
2017183116.tif 000022
【図２１】
2017183116.tif 000023
【図２２】
2017183116.tif 000024
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
第１の通信プロトコルに従って無線通信を行う第１の通信機と、
第２の通信プロトコルに従って無線通信を行う第２の通信機と、
１つまたは複数のプロセッサと、
を有する無線通信端末であって、
外部端末は、
前記第１の通信プロトコルに従って無線通信を行う第３の通信機と、
前記第２の通信プロトコルに従って無線通信を行う第４の通信機と、
を有し、
前記第１の通信プロトコルおよび前記第２の通信プロトコルは、少なくともデータリンク層のプロトコルを含み、
前記第１の通信プロトコルにおいて、第１のモードと第２のモードとが定義され、
前記第２の通信プロトコルは、前記第１の通信プロトコルと異なり、
前記第１の通信機が前記第１のモードで動作し、かつ前記第３の通信機が第２のモードで動作しているとき、前記第１の通信機および前記第３の通信機の間で前記第１の通信プロトコルに従って、データリンク層よりも上位の層のデータ通信のための第１の通信接続が確立でき、
前記第１の通信機が前記第１のモードで動作し、かつ前記第３の通信機が前記第２のモードで動作しているとき、前記第１の通信機および前記第３の通信機のうち前記第３の通信機のみが前記第１の通信プロトコルに従って接続要求を送信でき、
第１の条件および第２の条件が満たされるとき、前記プロセッサは、指示情報を前記第２の通信機によって前記第４の通信機に送信し、
前記指示情報が前記第４の通信機に送信されたとき、前記第１の通信機と前記第３の通信機との間で前記第１の通信接続は確立されてなく、前記指示情報は、前記無線通信端末への前記接続要求の送信を前記外部端末に指示する情報であり、前記第１の条件は、前記第２の通信プロトコルに基づく第２の通信接続が前記第２の通信機と前記第４の通信機との間で確立されているという条件であり、前記第２の条件は、前記第１の通信機が前記第１のモードで動作しているという条件であり、
前記指示情報が前記第４の通信機に送信された後、前記第３の通信機によって送信された前記接続要求が前記第１の通信機によって受信された場合、前記プロセッサは、前記第１の通信機によって、前記第１の通信プロトコルに従って前記第３の通信機と前記第１の通信接続を確立し、
前記第１の通信接続が確立された後、前記プロセッサは、前記第１の通信機によって前記第３の通信機に画像データを送信する
無線通信端末。
【請求項２】
前記第１の通信機のデータ通信量が所定量以下である場合、または前記無線通信端末が第１の状態から第２の状態になった場合、前記プロセッサは、前記第１の通信機に前記第１のモードの動作を停止させ、前記第２の状態における前記無線通信端末の消費電力は、前記第１の状態における前記無線通信端末の消費電力よりも小さくなるように制御され、
前記第１の条件が満たされ、かつ前記第２の条件が満たされない場合、前記プロセッサは、前記第１の通信機を前記第１のモードで動作させた後、前記指示情報を前記第２の通信機によって前記第４の通信機に送信する
請求項１に記載の無線通信端末。
【請求項３】
イメージセンサをさらに有し、
前記画像データは、前記イメージセンサが撮像を行うことにより生成される
請求項１に記載の無線通信端末。
【請求項４】
前記無線通信端末は、第３のモードで動作することができ、前記第３のモードは、前記イメージセンサが撮像を行うことにより生成された前記画像データを前記外部端末に送信するモードであり、
前記プロセッサは、前記第３のモードが前記無線通信端末に設定されたか否かを判断し、
前記第１の条件、前記第２の条件、および第３の条件が満たされるとき、前記プロセッサは、前記指示情報を前記第２の通信機によって前記第４の通信機に送信し、前記第３の条件は、前記第３のモードが前記無線通信端末に設定されたと前記プロセッサが判断するという条件である
請求項３に記載の無線通信端末。
【請求項５】
前記プロセッサは、前記第１の通信機と前記第３の通信機との間の前記第１の通信接続の状態を判断し、前記第１の通信接続の前記状態は、接続状態と切断状態とのいずれか１つであり、
前記第１の条件、前記第２の条件、前記第３の条件、および第４の条件が満たされるとき、前記プロセッサは、前記指示情報を前記第２の通信機によって前記第４の通信機に送信し、前記第４の条件は、前記第１の通信接続の前記状態が前記切断状態であるという条件である
請求項４に記載の無線通信端末。
【請求項６】
前記指示情報が送信されるタイミングは、前記第３のモードが前記無線通信端末に設定されたと前記プロセッサが判断したタイミングである
請求項４に記載の無線通信端末。
【請求項７】
前記指示情報が送信されるタイミングは、前記イメージセンサが撮像を行うタイミングである
請求項１または請求項５に記載の無線通信端末。
【請求項８】
前記第１の条件および前記第３の条件が満たされ、かつ前記第２の条件が満たされない場合、前記プロセッサは、前記第１の通信機を前記第１のモードで動作させた後、前記指示情報を前記第２の通信機によって前記第４の通信機に送信する
請求項４に記載の無線通信端末。
【請求項９】
前記指示情報が送信されるタイミングは、前記第３のモードが前記無線通信端末に設定されたと前記プロセッサが判断したタイミングである
請求項８に記載の無線通信端末。
【請求項１０】
前記指示情報が送信されるタイミングは、前記イメージセンサが撮像を行うタイミングである
請求項８に記載の無線通信端末。
【請求項１１】
前記第１の通信機のデータ通信量が所定量以下である場合、または前記無線通信端末が第１の状態から第２の状態になった場合、前記プロセッサは、前記第１の通信機に前記第１のモードの動作を停止させ、前記第２の状態における前記無線通信端末の消費電力は、前記第１の状態における前記無線通信端末の消費電力よりも小さくなるように制御される
請求項１に記載の無線通信端末。
【請求項１２】
無線通信端末と外部端末とを有する無線通信システムであって、
前記無線通信端末は、
第１の通信プロトコルに従って無線通信を行う第１の通信機と、
第２の通信プロトコルに従って無線通信を行う第２の通信機と、
１つまたは複数のプロセッサと、
を有し、
前記外部端末は、
前記第１の通信プロトコルに従って無線通信を行う第３の通信機と、
前記第２の通信プロトコルに従って無線通信を行う第４の通信機と、
を有し、
前記第１の通信プロトコルおよび前記第２の通信プロトコルは、少なくともデータリンク層のプロトコルを含み、
前記第１の通信プロトコルにおいて、第１のモードと第２のモードとが定義され、
前記第２の通信プロトコルは、前記第１の通信プロトコルと異なり、
前記第１の通信機が前記第１のモードで動作し、かつ前記第３の通信機が第２のモードで動作しているとき、前記第１の通信機および前記第３の通信機の間で前記第１の通信プロトコルに従って、データリンク層よりも上位の層のデータ通信のための第１の通信接続が確立でき、
前記第１の通信機が前記第１のモードで動作し、かつ前記第３の通信機が前記第２のモードで動作しているとき、前記第１の通信機および前記第３の通信機のうち前記第３の通信機のみが前記第１の通信プロトコルに従って接続要求を送信でき、
第１の条件および第２の条件が満たされるとき、前記プロセッサは、指示情報を前記第２の通信機によって前記第４の通信機に送信し、
前記指示情報が前記第４の通信機に送信されたとき、前記第１の通信機と前記第３の通信機との間で前記第１の通信接続は確立されてなく、前記指示情報は、前記無線通信端末への前記接続要求の送信を前記外部端末に指示する情報であり、前記第１の条件は、前記第２の通信プロトコルに基づく第２の通信接続が前記第２の通信機と前記第４の通信機との間で確立されているという条件であり、前記第２の条件は、前記第１の通信機が前記第１のモードで動作しているという条件であり、
前記指示情報が前記第４の通信機に送信された後、前記第３の通信機によって送信された前記接続要求が前記第１の通信機によって受信された場合、前記プロセッサは、前記第１の通信機によって、前記第１の通信プロトコルに従って前記第３の通信機と前記第１の通信接続を確立し、
前記第１の通信接続が確立された後、前記プロセッサは、前記第１の通信機によって前記第３の通信機に画像データを送信し、
前記第４の通信機は、前記第２の通信機によって送信された前記指示情報を受信し、
前記指示情報が受信された後、前記第３の通信機は、前記接続要求を前記第１の通信機に送信し、
前記接続要求が送信された後、前記第３の通信機は、前記第１の通信機と前記第１の通信接続を確立し、
前記第１の通信接続が確立された後、前記第３の通信機は、前記第１の通信機から前記画像データを受信する
無線通信システム。
【請求項１３】
無線通信端末によって実行される第１のステップと、第２のステップと、第３のステップとを有する無線通信方法であって、
前記無線通信端末は、
第１の通信プロトコルに従って無線通信を行う第１の通信機と、
第２の通信プロトコルに従って無線通信を行う第２の通信機と、
を有し、
外部端末は、
前記第１の通信プロトコルに従って無線通信を行う第３の通信機と、
前記第２の通信プロトコルに従って無線通信を行う第４の通信機と、
を有し、
前記第１の通信プロトコルおよび前記第２の通信プロトコルは、少なくともデータリンク層のプロトコルを含み、
前記第１の通信プロトコルにおいて、第１のモードと第２のモードとが定義され、
前記第２の通信プロトコルは、前記第１の通信プロトコルと異なり、
前記第１の通信機が前記第１のモードで動作し、かつ前記第３の通信機が第２のモードで動作しているとき、前記第１の通信機および前記第３の通信機の間で前記第１の通信プロトコルに従って、データリンク層よりも上位の層のデータ通信のための第１の通信接続が確立でき、
前記第１の通信機が前記第１のモードで動作し、かつ前記第３の通信機が前記第２のモードで動作しているとき、前記第１の通信機および前記第３の通信機のうち前記第３の通信機のみが前記第１の通信プロトコルに従って接続要求を送信でき、
第１の条件および第２の条件が満たされるとき、前記第１のステップにおいて、前記第２の通信機は、指示情報を前記第４の通信機に送信し、
前記指示情報が前記第４の通信機に送信されたとき、前記第１の通信機と前記第３の通信機との間で前記第１の通信接続は確立されてなく、前記指示情報は、前記無線通信端末への前記接続要求の送信を前記外部端末に指示する情報であり、前記第１の条件は、前記第２の通信プロトコルに基づく第２の通信接続が前記第２の通信機と前記第４の通信機との間で確立されているという条件であり、前記第２の条件は、前記第１の通信機が前記第１のモードで動作しているという条件であり、
前記指示情報が前記第４の通信機に送信された後、前記第３の通信機によって送信された前記接続要求が前記第１の通信機によって受信された場合、前記第２のステップにおいて、前記第１の通信機は、前記第１の通信プロトコルに従って前記第３の通信機と前記第１の通信接続を確立し、
前記第１の通信接続が確立された後、前記第３のステップにおいて、前記第１の通信機は前記第３の通信機に画像データを送信する
無線通信方法。
【請求項１４】
第１のステップと、第２のステップと、第３のステップとを無線通信端末のコンピュータに実行させるためのプログラムであって、
前記無線通信端末は、
第１の通信プロトコルに従って無線通信を行う第１の通信機と、
第２の通信プロトコルに従って無線通信を行う第２の通信機と、
を有し、
外部端末は、
前記第１の通信プロトコルに従って無線通信を行う第３の通信機と、
前記第２の通信プロトコルに従って無線通信を行う第４の通信機と、
を有し、
前記第１の通信プロトコルおよび前記第２の通信プロトコルは、少なくともデータリンク層のプロトコルを含み、
前記第１の通信プロトコルにおいて、第１のモードと第２のモードとが定義され、
前記第２の通信プロトコルは、前記第１の通信プロトコルと異なり、
前記第１の通信機が前記第１のモードで動作し、かつ前記第３の通信機が第２のモードで動作しているとき、前記第１の通信機および前記第３の通信機の間で前記第１の通信プロトコルに従って、データリンク層よりも上位の層のデータ通信のための第１の通信接続が確立でき、
前記第１の通信機が前記第１のモードで動作し、かつ前記第３の通信機が前記第２のモードで動作しているとき、前記第１の通信機および前記第３の通信機のうち前記第３の通信機のみが前記第１の通信プロトコルに従って接続要求を送信でき、
第１の条件および第２の条件が満たされるとき、前記第１のステップにおいて、前記第２の通信機は、指示情報を前記第４の通信機に送信し、
前記指示情報が前記第４の通信機に送信されたとき、前記第１の通信機と前記第３の通信機との間で前記第１の通信接続は確立されてなく、前記指示情報は、前記無線通信端末への前記接続要求の送信を前記外部端末に指示する情報であり、前記第１の条件は、前記第２の通信プロトコルに基づく第２の通信接続が前記第２の通信機と前記第４の通信機との間で確立されているという条件であり、前記第２の条件は、前記第１の通信機が前記第１のモードで動作しているという条件であり、
前記指示情報が前記第４の通信機に送信された後、前記第３の通信機によって送信された前記接続要求が前記第１の通信機によって受信された場合、前記第２のステップにおいて、前記第１の通信機は、前記第１の通信プロトコルに従って前記第３の通信機と前記第１の通信接続を確立し、
前記第１の通信接続が確立された後、前記第３のステップにおいて、前記第１の通信機は前記第３の通信機に画像データを送信する
プログラム。
【国際調査報告】
2017183116.tif 000025
2017183116.tif 000026
2017183116.tif 000027
2017183116.tif 000028